(57)【要約】  本願は測定方法及び装置を提供し、通信技術の分野に関連する。方法は：｛Ｓｉ｜ｉは正の整数，ｉ≦Ｎ｝を取得するために、Δｔにおいて現在キャンプ中のセルを測定するステップ；｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦを更新するステップ；及びＳＲＥＦ−Ｓｉが第１閾値以上である場合に、現在キャンプ中のセルの１つ以上の隣接セルを測定するステップを含む。具体的には、Δｔにおけるセル状態変数が常にセル状態リファレンス変数より小さいと判断した場合、端末は、隣接セルに関する測定を開始し、セル状態変数をＳＲＥＦから、Δｔにおける最後の測定により得られるセル状態変数ＳＮに更新することができる。このように、端末が、隣接セルを測定した後に他のセルを再選択することに失敗した場合に、端末は、更新後に得られるＳＲＥＦに基づいて、現在キャンプ中のセルのセル状態変数がΔｔにおいて条件を充足するか否かを再度判定し、隣接セルに関する測定を再度開始するか否かを決定することができる。端末が隣接セルを連続的に測定するケースと比較すると、本願は、端末により実行される測定の回数を減らし、端末の電力消費を削減する。
2021513289.tif 000002
【特許請求の範囲】
【請求項１】
測定方法であって、前記方法は：
｛Ｓｉ｜ｉは正の整数，ｉ≦Ｎ｝を取得するために、Δｔにおいて現在キャンプ中のセルを測定するステップであって、ＮはΔｔにおいて前記現在キャンプ中のセルを測定する合計回数であり、Ｓｉはｉ番目の測定により取得されるセル状態変数である、ステップ；
｛Ｓｉ｜ｉは正の整数，ｉ≦Ｎ｝における任意のＳｉが、ＳＲＥＦ−Ｓｉは前記第１閾値以上であることを充足する場合に、ＳＲＥＦがＳＮに等しくなるようにＳＲＥＦを更新するステップであって、ＳＲＥＦは前記現在キャンプ中のセルのセル状態リファレンス変数である、ステップ；及び
ＳＲＥＦ−Ｓｉが前記第１閾値以上である場合に、前記現在キャンプ中のセルの１つ以上の隣接セルを測定するステップ；
を含む方法。
【請求項２】
測定方法であって、前記方法は：
現在のセル状態変数Ｓｃｕｒｒｅｎｔを取得するために、現在キャンプ中のセルを測定するステップ；
Ｓｃｕｒｒｅｎｔ−ＳＲＥＦが第２閾値以上である場合に、ＳＲＥＦがＳｃｕｒｒｅｎｔに等しくなるようにＳＲＥＦを更新するステップであって、ＳＲＥＦは前記現在キャンプ中のセルのセル状態リファレンス変数である、ステップ；及び
ＳＲＥＦ−Ｓｃｕｒｒｅｎｔが前記第１閾値以上である場合に、前記現在キャンプ中のセルの１つ以上の隣接セルを測定するステップ；
を含む方法。
【請求項３】
測定方法であって、前記方法は：
｛Ｓｉ｜ｉは正の整数，ｉ≦Ｎ｝を取得するために、Δｔにおいて現在キャンプ中のセルを測定するステップであって、ＮはΔｔにおいて前記現在キャンプ中のセルを測定する合計回数であり、Ｓｉはｉ番目の測定により取得されるセル状態変数である、ステップ；及び
ＳＲＥＦが、｛Ｓｉ｜ｉは正の整数，ｉ≦Ｎ｝における最大値に等しくなるか、又は｛Ｓｉ｜ｉは正の整数，ｉ≦Ｎ｝における平均値に等しくなるように、ＳＲＥＦを更新するステップであって、ＳＲＥＦは前記現在キャンプ中のセルのセル状態リファレンス変数である、ステップ；及び
ＳＲＥＦ−Ｓｉが第１閾値以上である場合に、前記現在キャンプ中のセルの１つ以上の隣接セルを測定するステップ；
を含む方法。
【請求項４】
Δｔを指定するために使用される情報、前記第１閾値を指定するために使用される情報、又は前記第２閾値を指定するために使用される情報を、ネットワーク・デバイスから受信するステップを更に含む請求項１〜３のうちの何れか１項に記載の方法。
【請求項５】
前記現在キャンプ中のセルを再選択又は選択した後にＳＲＥＦを取得するステップ；
を更に含む請求項１〜４のうちの何れか１項に記載の方法。
【請求項６】
前記セル状態変数は、信号電力ＲＳＲＰ又は信号品質ＲＳＲＱを含む、請求項１〜５のうちの何れか１項に記載の方法。
【請求項７】
前記隣接セルにおける１つ以上のセル各々のカバレッジ・エリアは、前記現在キャンプ中のセルのカバレッジ・エリアより大きい、請求項１〜６のうちの何れか１項に記載の方法。
【請求項８】
前記隣接セルにおける第１セルがセル再選択条件を充足する場合に、前記第１セルを再選択するステップ；
を更に含む請求項７のうちの何れか１項に記載の方法。
【請求項９】
メジャーメント・レポートを前記ネットワーク・デバイスへ送信するステップであって、前記メジャーメント・レポートは、前記１つ以上のセル各々の信号品質ＲＳＲＱ又は信号電力ＲＳＲＰを含む、ステップを更に含む請求項７又は８に記載の方法。
【請求項１０】
前記１つ以上のセル各々の周波数の優先度が、前記現在キャンプ中のセルの周波数の優先度より低い場合に、前記１つ以上のセル各々の前記カバレッジ・エリアは前記現在キャンプ中のセルの前記カバレッジ・エリアより大きい；又は
前記１つ以上のセル各々の優先度が、前記現在キャンプ中のセルの優先度より低い場合に、前記１つ以上のセル各々の前記カバレッジ・エリアは前記現在キャンプ中のセルの前記カバレッジ・エリアより大きい；又は
前記１つ以上のセル各々の周波数が、前記現在キャンプ中のセルの周波数より低い場合に、前記１つ以上のセル各々の前記カバレッジ・エリアは前記現在キャンプ中のセルの前記カバレッジ・エリアより大きい；又は
前記１つ以上のセル各々のセル・タイプがマクロ・セルであり、前記現在キャンプ中のセルのセル・タイプがマイクロ・セルである場合に、前記１つ以上のセル各々の前記カバレッジ・エリアは前記現在キャンプ中のセルの前記カバレッジ・エリアより大きい；
請求項７〜９のちの何れか１項に記載の方法。
【請求項１１】
メモリに結合され、前記メモリ内の命令を読み込み、請求項１〜１０のうちの何れか１項に記載の方法を実現するために前記命令を実行するように構成されたプロセッサ；
を含む通信装置。
【請求項１２】
前記メモリを更に含む請求項１１に記載の装置。
【発明の詳細な説明】
【技術分野】
【０００１】
本願は通信技術の分野、特に測定の技術に関する。
【背景技術】
【０００２】
ロング・ターム・エボリューション（Ｌｏｎｇ  Ｔｅｒｍ  Ｅｖｏｌｕｔｉｏｎ，ＬＴＥ）システムや第５世代移動通信技術（５ｔｈ−Ｇｅｎｅｒａｔｉｏｎ，５Ｇ）システムなどの通信システムでは、通信信号カバレッジは、通常、セル内で行われる。比較的大きな通信信号カバレッジ・エリアを有するセルはマクロ・セルと呼ばれる可能性があり、比較的小さな通信信号カバレッジ・エリアを有するセルはマイクロ・セルと呼ばれる可能性がある。マイクロ・セル及びマクロ・セルは、異なる周波数で配備されてもよいし、又は同じ周波数で配備されてもよい。端末がキャンプするセルを選択する場合に、端末は、様々な周波数におけるセルの信号品質を測定することによってセルを選択することができる。
【０００３】
関連技術では、セルにキャンプする際に、端末は、測定を開始するために使用される閾値であって現在キャンプ中のセルに応対する基地局によりブロードキャスト又は送信されるものを受信し、現在キャンプ中のセルの信号品質又は信号電力が閾値未満であることを測定によって知った場合に、現在キャンプ中のセルの隣接セルで測定を開始することができる。この場合において、閾値が比較的小さい場合、端末は、ちょうど良い時に隣接セルで測定を開始することができず、その結果、ちょうど良い時により良い信号品質を有するセルを再選択することができない。閾値が比較的大きい場合、端末は比較的早い時期に測定を開始し、端末の測定電力消費を増加させる。
【発明の概要】
【０００４】
関連技術において、端末が閾値に基づいてセル測定を開始する際に、開始時期が遅すぎると適時性が悪くなり、開始時期が早すぎると端末の電力消費が相対的に高くなるという問題を解決するために、本願は測定方法、装置、及びコンピュータ記憶媒体を提供する。技術的解決策は以下の通りである：
【０００５】
第１態様によれば測定方法が提供され、方法は：
｛Ｓｉ｜ｉは正の整数，ｉ≦Ｎ｝を取得するために、Δｔにおいて現在キャンプ中のセルを測定するステップであって、ＮはΔｔにおいて現在キャンプ中のセルを測定する合計回数であり、Ｓｉはｉ番目の測定により取得されるセル状態変数である、ステップ；及び
｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦを更新するステップであって、ＳＲＥＦは現在キャンプ中のセルのセル状態リファレンス変数であり、ＳＲＥＦ−Ｓｉが第１閾値以上である場合に、現在キャンプ中のセルの１つ以上の隣接セルを測定するステップを含む。
【０００６】
本願のこの実施形態では、Δｔにおけるセル状態変数が常にセル状態リファレンス変数未満であると判断した場合、端末は、隣接セルに関する測定を開始し、セル状態変数をＳＲＥＦから、Δｔにおける最後の測定により得られたセル状態変数ＳＮに更新することができる。このように、端末が、隣接セルを測定した後に他のセルを再選択することに失敗した場合に、端末は、更新後に得られるＳＲＥＦに基づいて、現在キャンプ中のセルのセル状態変数がΔｔにおいて条件を充足するか否かを再度判断し、隣接セルに関する測定を再度開始するか否かを決定することができる。端末が隣接セルを連続的に測定するケースと比較すると、本願は、端末により隣接セルを測定する回数を減らし、端末の電力消費を削減する。
【０００７】
オプションとして、方法は更に：ネットワーク・デバイスから、Δｔを指定するために使用される情報、又は第１閾値を指定するために使用される情報を受信するステップを含む。
【０００８】
オプションとして、方法は更に：現在キャンプ中のセルを再選択又は選択した後にＳＲＥＦを取得するステップを含む。
【０００９】
端末は、ネットワーク・デバイスからＳＲＥＦを取得してもよいし；端末が現在キャンプ中のセルにキャンプした時点に現在キャンプ中のセルのセル状態変数を測定し、測定したセル状態変数をＳＲＥＦとして決定してもよいし；あるいは、端末が現在キャンプ中のセルにキャンプした時点の前に実行された最後の（又は最新の）測定によって得られた現在キャンプ中のセルのセル状態変数を、ＳＲＥＦとして決定してもよい。
【００１０】
オプションとして、セル状態変数は、信号電力ＲＳＲＰ又は信号品質ＲＳＲＱを含む。
【００１１】
オプションとして、隣接セル内の１つ以上のセル各々のカバレッジ・エリアは、現在キャンプ中のセルのカバレッジ・エリアより大きい。
【００１２】
オプションとして、方法は更に：
隣接セルの第１セルがセル再選択条件を充足する場合に、第１セルを再選択するステップを含む。
【００１３】
セル再選択条件は：セルのカバレッジ・エリアが現在キャンプ中のセルのカバレッジ・エリアより大きく、且つセルの信号品質又は信号電力が第３閾値より大きいことであってもよい。
【００１４】
オプションとして、方法は更に：
メジャーメント・レポートをネットワーク・デバイスに送信するステップを含み、メジャーメント・レポートは、１つ以上のセル各々の信号品質ＲＳＲＱ又は信号電力ＲＳＲＰを含む。
【００１５】
接続モードの端末は、隣接セルを測定した後に、メジャーメント・レポートをネットワーク・デバイスに送信することが可能であり、その結果、ネットワーク・デバイスは、１つ以上のセル各々についての、メジャーメント・レポートに含まれる信号品質又は信号電力に基づいて、端末のセル・ハンドオーバを実行する。
【００１６】
オプションとして、方法は更に：
１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きいこと；又は
１つ以上のセル各々の優先度が、現在キャンプ中のセルの優先度より低い場合に、１つ以上のセル各々のカバレッジ・エリアは現在キャンプ中のセルのカバレッジ・エリアより大きいこと；又は
１つ以上のセル各々の周波数が、現在キャンプ中のセルの周波数より低い場合に、１つ以上のセル各々のカバレッジ・エリアは現在キャンプ中のセルのカバレッジ・エリアより大きいこと；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きいことを含む。
【００１７】
第２態様によれば測定方法が提供され、方法は：
現在のセル状態変数Ｓｃｕｒｒｅｎｔを取得するために、現在キャンプ中のセルを測定するステップ；
Ｓｃｕｒｒｅｎｔ−ＳＲＥＦが第２閾値以上である場合に、ＳＲＥＦがＳｃｕｒｒｅｎｔに等しくなるようにＳＲＥＦを更新するステップであって、ＳＲＥＦは現在キャンプ中のセルのセル状態リファレンス変数である、ステップ；及び
ＳＲＥＦ−Ｓｃｕｒｒｅｎｔが第１閾値以上である場合に、現在キャンプ中のセルの１つ以上の隣接セルを測定するステップを含む。
【００１８】
オプションとして、方法は更に：
第２閾値を指定するために使用されるメッセージ、又は第１閾値を指定するために使用されるメッセージを、ネットワーク・デバイスから受信するステップを更に含む。
【００１９】
オプションとして、方法は更に：端末が現在キャンプ中のセルを再選択又は選択した後に、ＳＲＥＦを取得するステップを含む。
【００２０】
端末は、ネットワーク・デバイスからＳＲＥＦを取得してもよいし；端末が現在キャンプ中のセルにキャンプした時点で現在キャンプ中のセルのセル状態変数を測定し、測定したセル状態変数をＳＲＥＦとして決定してもよいし；あるいは、端末が現在キャンプ中のセルにキャンプした時点の前に実行された最後の（又は最新の）測定によって得られた現在キャンプ中のセルのセル状態変数を、ＳＲＥＦとして決定してもよい。
【００２１】
オプションとして、セル状態変数は、信号電力ＲＳＲＰ又は信号品質ＲＳＲＱを含む。
【００２２】
オプションとして、隣接セル内の１つ以上のセル各々のカバレッジ・エリアは、現在キャンプ中のセルのカバレッジ・エリアより大きい。
【００２３】
オプションとして、方法は更に：
隣接セルの第１セルがセル再選択条件を充足する場合に、第１セルを再選択するステップを含む。
【００２４】
セル再選択条件は：セルのカバレッジ・エリアが現在キャンプ中のセルのカバレッジ・エリアより大きく、且つセルの信号品質又は信号電力が第３閾値より大きいことであってもよい。
【００２５】
オプションとして、方法は更に：
メジャーメント・レポートをネットワーク・デバイスに送信するステップを含み、メジャーメント・レポートは、１つ以上のセル各々の信号品質ＲＳＲＱ又は信号電力ＲＳＲＰを含む。
【００２６】
接続モードの端末は、隣接セルを測定した後に、メジャーメント・レポートをネットワーク・デバイスに送信することが可能であり、その結果、ネットワーク・デバイスは、１つ以上のセル各々についての、メジャーメント・レポートに含まれる信号品質又は信号電力に基づいて、端末のセル・ハンドオーバを実行する。
【００２７】
オプションとして、方法は更に：
１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きいこと；又は
１つ以上のセル各々の優先度が、現在キャンプ中のセルの優先度より低い場合に、１つ以上のセル各々のカバレッジ・エリアは現在キャンプ中のセルのカバレッジ・エリアより大きいこと；又は
１つ以上のセル各々の周波数が、現在キャンプ中のセルの周波数より低い場合に、１つ以上のセル各々のカバレッジ・エリアは現在キャンプ中のセルのカバレッジ・エリアより大きいこと；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きいことを含む。
【００２８】
第３態様によれば測定方法が提供され、方法は：
｛Ｓｉ｜ｉは正の整数，ｉ≦Ｎ｝を取得するために、Δｔにおいて現在キャンプ中のセルを測定するステップであって、ＮはΔｔにおいて現在キャンプ中のセルを測定する合計回数であり、Ｓｉはｉ番目の測定により取得されるセル状態変数である、ステップ；及び
ＳＲＥＦが、｛Ｓｉ｜ｉは正の整数，ｉ≦Ｎ｝における最大値に等しくなるか、又は｛Ｓｉ｜ｉは正の整数，ｉ≦Ｎ｝における平均値に等しくなるように、ＳＲＥＦを更新するステップであって、ＳＲＥＦは現在キャンプ中のセルのセル状態リファレンス変数である、ステップ；及び
ＳＲＥＦ−Ｓｉが第１閾値以上である場合に、現在キャンプ中のセルの１つ以上の隣接セルを測定するステップを含む。
【００２９】
オプションとして、方法は更に：
Δｔを指定するために使用される情報、又は第１閾値を指定するために使用される情報を、ネットワーク・デバイスから受信するステップを更に含む。
【００３０】
オプションとして、方法は更に：端末が現在キャンプ中のセルを再選択又は選択した後に、ＳＲＥＦを取得するステップを含む。
【００３１】
端末は、ネットワーク・デバイスからＳＲＥＦを取得してもよいし；端末が現在キャンプ中のセルにキャンプした時点で現在キャンプ中のセルのセル状態変数を測定し、測定したセル状態変数をＳＲＥＦとして決定してもよいし；あるいは、端末が現在キャンプ中のセルにキャンプした時点の前に実行された最後の（又は最新の）測定によって得られた現在キャンプ中のセルのセル状態変数を、ＳＲＥＦとして決定してもよい。
【００３２】
オプションとして、セル状態変数は、信号電力ＲＳＲＰ又は信号品質ＲＳＲＱを含む。
【００３３】
オプションとして、隣接セル内の１つ以上のセル各々のカバレッジ・エリアは、現在キャンプ中のセルのカバレッジ・エリアより大きい。
【００３４】
オプションとして、方法は更に：
隣接セルの第１セルがセル再選択条件を充足する場合に、第１セルを再選択するステップを含む。
【００３５】
セル再選択条件は：セルのカバレッジ・エリアが現在キャンプ中のセルのカバレッジ・エリアより大きく、且つセルの信号品質又は信号電力が第３閾値より大きいことであってもよい。
【００３６】
オプションとして、方法は更に：
メジャーメント・レポートをネットワーク・デバイスに送信するステップを含み、メジャーメント・レポートは、１つ以上のセル各々の信号品質ＲＳＲＱ又は信号電力ＲＳＲＰを含む。
【００３７】
接続モードの端末は、隣接セルを測定した後に、メジャーメント・レポートをネットワーク・デバイスに送信することが可能であり、その結果、ネットワーク・デバイスは、１つ以上のセル各々についての、メジャーメント・レポートに含まれる信号品質又は信号電力に基づいて、端末のセル・ハンドオーバを実行する。
【００３８】
オプションとして、方法は更に：
１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きいこと；又は
１つ以上のセル各々の優先度が、現在キャンプ中のセルの優先度より低い場合に、１つ以上のセル各々のカバレッジ・エリアは現在キャンプ中のセルのカバレッジ・エリアより大きいこと；又は
１つ以上のセル各々の周波数が、現在キャンプ中のセルの周波数より低い場合に、１つ以上のセル各々のカバレッジ・エリアは現在キャンプ中のセルのカバレッジ・エリアより大きいこと；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きいことを含む。
【００３９】
第４態様によれば測定方法が提供され、方法は：
第１持続時間Δｔ１におけるセル状態変数の変動ΔＳΔｔ１が第１閾値以上であるか否かを判定するステップ；及び
ΔＳΔｔ１が第１閾値以上である場合に、現在キャンプ中のセルの１つ以上の隣接セル内の１つ以上の第１セルの信号品質ＲＳＲＱ又は信号電力ＲＳＲＰを測定するステップを含む。
【００４０】
第１持続時間Δｔ１は如何なる持続時間であってもよい。このケースでは、第１持続時間は存在しなくてもよい。言い換えると、第１持続時間はオプションである。
【００４１】
オプションとして、Δｔ１又は第１閾値を指定する情報はネットワーク・デバイスから受信される。
【００４２】
Δｔ１のみを指定する情報がネットワーク・デバイスから受信されてもよいし、第１閾値のみを指定する情報が受信されてもよいし、あるいはΔｔ１及び第１閾値を指定する情報が受信されてもよい。
【００４３】
オプションとして、ΔＳΔｔ１＝｜ＳｔＲＥＦ−ＳｔＲＥＦ＋Δｔ１｜であり、
ＳｔＲＥＦは、リファレンス時点ｔＲＥＦにおける現在キャンプ中のセルのセル状態変数であり、ＳｔＲＥＦ＋Δｔ１は、現在キャンプ中のセルのｔＲＥＦ＋Δｔ１におけるセル状態変数であり、セル状態変数は信号電力ＲＳＲＰ又は信号品質ＲＳＲＱを含む。
【００４４】
オプションとして、ｔＲＥＦは、端末が現在キャンプ中のセルにキャンプする時点であり；あるいはｔＲＥＦはＳｔＲＥＦが更新される時点である。
【００４５】
オプションとして、方法は更に：
ΔＳΔｔ１時間が第１閾値以上である場合に、第１タイマーを開始するステップであって、第１タイマーの実行時間は第２持続時間Δｔ２である、ステップ；
｛Ｓｉ｜ｉは正の整数，ｉ≦Ｎ｝を取得するために、Δｔ２において現在キャンプ中のセルを測定するステップであって、ＮはΔｔ２において現在キャンプ中のセルを測定する合計回数であり、Ｓｉはｉ番目の測定により取得されるセル状態変数である、ステップ；  
｛Ｓｉ｜ｉは正の整数，ｉ≦Ｎ｝における任意のＳｉが、｜ＳｔＲＥＦ−Ｓｉ｜は第１閾値以上であることを充足する場合に、ＳｔＲＥＦがＳＮに等しくなるようにＳｔＲＥＦを更新するステップを含む。
【００４６】
オプションとして、ΔＳΔｔ１は、端末がΔｔ１においてキャンプしたセルの変更回数である。
【００４７】
オプションとして、第１セルのカバレッジ・エリアは、現在キャンプ中のセルのカバレッジ・エリアより大きい。
【００４８】
方法は更に：
１つ以上の第１セルが、信号品質ＲＳＲＱ又は信号電力ＲＳＲＰが第３閾値以上であるセルを含む場合に、第２セルを再選択するステップを含み、第２セルは、信号品質ＲＳＲＱ又は信号電力ＲＳＲＰが、１つ以上の第１セルの第３閾値以上である第１セルである。
【００４９】
オプションとして、第１セルのカバレッジ・エリアは、現在キャンプ中のセルのカバレッジ・エリアより大きい。
【００５０】
方法は更に：
メジャーメント・レポートをネットワーク・デバイスへ送信するステップを含み、メジャーメント・レポートは、１つ以上の第１セル各々の信号品質ＲＳＲＱ又は信号電力ＲＳＲＰを含む。
【００５１】
オプションとして、第１セルのカバレッジ・エリアが現在キャンプ中のセルのカバレッジ・エリアより大きいことは、以下のように表現される：
第１セルの周波数の優先度が、現在キャンプ中のセルの周波数の優先度より低い；
第１セルの優先度が現在キャンプ中のセルの優先度より低い；
第１セルの周波数が現在キャンプ中のセルの周波数より低い；又は
第１セルのセル・タイプはマクロ・セルであり、現在キャンプ中のセルのセル・タイプはマイクロ・セルである。
【００５２】
第５態様によれば測定方法が提供され、方法は：
セル状態変数の変動ΔＳが第１閾値以上である場合に、ΔＳに到達するための持続時間ΔｔΔＳは第２閾値以下であるか否かを判定するステップ；
ΔＳΔｔが第２閾値以下である場合に、現在キャンプ中のセルの１つ以上の隣接セル内の１つ以上の第１セルの信号品質ＲＳＲＱ又は信号電力ＲＳＲＰを測定するステップを含む。
【００５３】
オプションとして、第１閾値又は第２閾値を指定する情報がネットワーク・デバイスから受信される。
【００５４】
第１閾値のみを指定する情報がネットワーク・デバイスから受信されてもよいし、第２閾値のみを指定する情報が受信されてもよいし、あるいは第１閾値及び第２閾値を指定する情報が受信されてもよい。
【００５５】
オプションとして、ΔＳ＝｜ＳｔＲＥＦ−ＳｔＲＥＦ＋ΔｔΔＳ｜であり、
ＳｔＲＥＦは、リファレンス時点ｔＲＥＦにおける現在キャンプ中のセルのセル状態変数であり、ＳｔＲＥＦ＋ΔｔΔＳは、現在キャンプ中のセルのｔＲＥＦ＋ΔｔΔＳにおけるセル状態変数であり、セル状態変数は信号電力ＲＳＲＰ又は信号品質ＲＳＲＱを含む。
【００５６】
オプションとして、ｔＲＥＦは、端末が現在キャンプ中のセルにキャンプする時点であり；あるいはｔＲＥＦはＳｔＲＥＦが更新される時点である。
【００５７】
オプションとして、方法は更に：
ΔｔΔＳが第２閾値以下である場合に、第１タイマーを開始するステップであって、第１タイマーの実行時間は第２持続時間Δｔ２である、ステップ；
｛Ｓｉ｜ｉは正の整数，ｉ≦Ｎ｝を取得するために、Δｔ２において現在キャンプ中のセルを測定するステップであって、ＮはΔｔ２において現在キャンプ中のセルを測定する合計回数であり、Ｓｉはｉ番目の測定により取得されるセル状態変数である、ステップ；  
｛Ｓｉ｜ｉは正の整数，ｉ≦Ｎ｝における任意のＳｉが、｜ＳｔＲＥＦ−Ｓｉ｜は第１閾値以上であることを充足する場合に、ＳｔＲＥＦがＳＮに等しくなるようにＳｔＲＥＦを更新するステップを含む。
【００５８】
オプションとして、第１セルのカバレッジ・エリアは、現在キャンプ中のセルのカバレッジ・エリアより大きい。
【００５９】
方法は更に：
１つ以上の第１セルが、信号品質ＲＳＲＱ又は信号電力ＲＳＲＰが第３閾値以上であるセルを含む場合に、第２セルを再選択するステップを含み、第２セルは、信号品質ＲＳＲＱ又は信号電力ＲＳＲＰが、１つ以上の第１セルの第３閾値以上である第１セルである。
【００６０】
オプションとして、第１セルのカバレッジ・エリアは、現在キャンプ中のセルのカバレッジ・エリアより大きい。
【００６１】
方法は更に：
メジャーメント・レポートをネットワーク・デバイスへ送信するステップを含み、メジャーメント・レポートは、１つ以上の第１セル各々の信号品質ＲＳＲＱ又は信号電力ＲＳＲＰを含む。
【００６２】
オプションとして、第１セルのカバレッジ・エリアが現在キャンプ中のセルのカバレッジ・エリアより大きいことは、以下のように表現される：
第１セルの周波数の優先度が、現在キャンプ中のセルの周波数の優先度より低い；
第１セルの優先度が現在キャンプ中のセルの優先度より低い；
第１セルの周波数が現在キャンプ中のセルの周波数より低い；又は
第１セルのセル・タイプはマクロ・セルであり、現在キャンプ中のセルのセル・タイプはマイクロ・セルである。
【００６３】
第６態様によれば測定装置が提供される。測定装置は、第１態様、第２態様、第３態様、第４態様、又は第５態様の測定方法における挙動を実装する機能を有する。測定装置は少なくとも１つのモジュールを含み、少なくとも１つのモジュールは、第１態様、第２態様、第３態様、第４態様、又は第５態様で提供される測定方法を実施するように構成される。
【００６４】
第７態様によれば測定装置が提供される。測定装置の構造はプロセッサとメモリとを含む。メモリは、第１態様、第２態様、第３態様、第４態様、又は第５態様で提供される測定方法を実行する際に測定装置をサポートするプログラムを格納し、第１態様、第２態様、第３態様、第４態様、又は第５態様で提供される測定方法を実行するために使用されるデータを格納するように構成される。プロセッサは、メモリに記憶されたプログラムを実行するように構成される。記憶装置のオペレーション装置は、通信バスを更に含んでもよく、通信バスはプロセッサとメモリとの間の接続を確立するように構成される。
【００６５】
オプションの設計では、測定装置の外側にメモリが配置されてもよい。即ち、測定装置はプロセッサを含む。プロセッサは、メモリに結合され、メモリ内の命令を読み込んで実行し、前述の態様における１つ以上の方法を実行するように構成される。
【００６６】
第８態様によれば、コンピュータ読み取り可能な記憶媒体が提供される。コンピュータ読み取り可能な記憶媒体は命令を記憶する。命令がコンピュータ上で実行される場合に、コンピュータは、第１態様、第２態様、第３態様、第４態様、又は第５態様による測定方法を実行するように動作可能である。
【００６７】
第９態様によれば、命令を含むコンピュータ・プログラム・プロダクトが提供される。コンピュータ・プログラム・プロダクトがコンピュータ上で動作する場合、コンピュータは、第１態様、第２態様、第３態様、第４態様、又は第５態様による測定方法を実行するように動作可能である。
【００６８】
本願で提供される技術的解決策は、以下の有益な効果をもたらす：
【００６９】
現在キャンプ中のセルは、｛Ｓｉ｜ｉは正の整数，ｉ≦Ｎ｝を取得するためにΔｔにおいて測定され、Ｎは、Δｔにおいて現在キャンプ中のセルを測定する合計回数であり、Ｓｉはｉ番目の測定により得られるセル状態変数である。｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦは更新され、ＳＲＥＦは現在キャンプ中のセルのセル状態リファレンス変数である。ＳＲＥＦ−Ｓｉが第１閾値以上である場合に、現在キャンプ中のセルの隣接セルが測定される。即ち、本願の実施形態では、Δｔにおいてセル状態変数が常にセル状態リファレンス変数未満であると判断する場合、端末は、隣接セルで測定を開始し、セル状態変数をＳＲＥＦから、Δｔにおける最後の測定により得られたセル状態変数に更新することができる。このように、端末が、隣接セルを測定した後に他のセルを再選択することに失敗した場合に、端末は、更新後に得られるＳＲＥＦに基づいて、現在キャンプ中のセルのセル状態変数がΔｔにおいて条件を充足するか否かを再度判定し、隣接セルに関する測定を再度開始するか否かを決定することができる。端末が隣接セルを連続的に測定するケースと比較すると、本願は、端末による隣接セルを測定する回数を減らし、端末の電力消費を削減する。
【図面の簡単な説明】
【００７０】
【図１Ａ】本願の実施形態による測定方法に関するシステム・アーキテクチャの図である。
【００７１】
【図１Ｂ】本願の実施形態による別の測定方法に関するシステム・アーキテクチャの図である。
【００７２】
【図２】本願の実施形態による端末の概略構造図である。
【００７３】
【図３】本願の実施形態による測定方法のフローチャートである。
【００７４】
【図４】本願の実施形態による測定方法のフローチャートである。
【００７５】
【図５】本願の実施形態による測定方法のフローチャートである。
【００７６】
【図６】本願の実施形態による測定方法のフローチャートである。
【００７７】
【図７】本願の実施形態による測定装置のブロック図である。
【００７８】
【図８】本願の実施形態による別の測定装置のブロック図である。
【００７９】
【図９】本願の実施形態による他の測定装置のブロック図である。
【発明を実施するための形態】
【００８０】
本願の目的、技術的解決策、及び利点をより明確にするために、以下、添付図面を参照して、本願の実施形態を更に詳細に説明する。
【００８１】
本願の実施形態が詳細に説明される前に、本願の実施形態の適用シナリオが先ず説明される。
【００８２】
ＬＴＥシステムや５Ｇシステムなどの通信システムでは、通信信号カバレッジは、通常、セル内で行われる。比較的大きな通信信号カバレッジ・エリアを有するセルはマクロ・セルと呼ばれる可能性があり、比較的小さな通信信号カバレッジ・エリアを有するセルはマイクロ・セルと呼ばれる可能性がある。アイドル・モードの端末がセルでキャンプする場合、端末は、様々な周波数のセルの信号品質を測定することによって、キャンプするセルを再選択することができる。接続モードの端末は、必要に応じてセルの信号品質を測定することによっても、異なる周波数のキャンプ・オン・セルにハンドオーバされる可能性がある。本願の実施形態で提供される測定方法は、端末によって使用されて、適宜セル測定を行い、測定結果に基づいてセル再選択又はセル・ハンドオーバを行うことができる。
【００８３】
具体的には、本願の実施形態で提供される測定方法は、以下の幾つかの特定のシナリオに適用される可能性がある。
【００８４】
シナリオ１：マイクロ・セルとマクロ・セルが異なる周波数で配備され、異なる周波数に対して異なる優先順位が設定される。例えば、マイクロ・セルが配置されている周波数の優先度は、マクロ・セルが配置されている周波数の優先度より高い。このシナリオでは、アイドル・モードの端末が移動状態にある場合、又はアイドル・モードの端末が静的状態にあり、端末を遮る移動物体が存在する場合、端末は、マイクロ・セルの小さなカバレッジ・エリアに起因して、キャンプ・オン・マイクロ・セルを頻繁に変更する。このプロセスでは、測定が頻繁に開始され、端末の電力消費を増加させる。従って、本願の実施形態で提供される測定方法が使用され、隣接セルを測定し、測定結果に基づいて、キャンプするのに適切なセルを選択することが可能である（例えば、マクロ・セルにキャンプする。マクロ・セルのカバレッジ・エリアはより大きいので、移動状態の端末によるキャンプ・オン・セルを変更する頻度は、端末がマイクロ・セルにキャンプする場合にキャンプ・オン・セルを変更する頻度よりも低い。）。このように、キャンプ・オン・セルを更新する頻度と端末の電力消費とが削減される。接続モードの端末が移動状態にある場合、又は接続モードの端末が静的状態にあり、端末を遮る移動物体が存在する場合、本願の実施形態で提供される測定方法が使用され、隣接セルを測定し、次いで報告された測定結果に基づいて適切なセルへのハンドオーバが実行されることもまた可能である（例えば、マクロ・セルにキャンプする。マクロ・セルのカバレッジ・エリアはより大きいので、移動状態の端末がキャンプ・オン・セルにハンドオーバされる頻度は、端末がマイクロ・セルにキャンプする場合にキャンプ・オン・セルにハンドオーバされる頻度よりも低い）。このように、サービング・セルを変更する頻度、即ちハンドオーバ量が削減され、端末の電力消費が削減される。
【００８５】
シナリオ２：マイクロ・セルとマクロ・セルが同じ周波数で配備され、同じ周波数に対して同じ優先度が設定され、マイクロ・セルの信号品質又は信号電力はマクロ・セルの信号品質又は信号電力より優れている。このシナリオでは、アイドル・モードの端末が移動状態又は静的状態にある場合、又はアイドル・モードの端末が静的状態にあり、端末を遮る移動物体が存在する場合、端末は、マイクロ・セルのより良い信号品質に起因して、マイクロ・セルを再選択する。これに基づいて、端末は、マイクロ・セルの小さなカバレッジ・エリアに起因して、キャンプ・オン・マイクロ・セルを頻繁に変更する。このプロセスでは、測定が頻繁に開始され、端末の電力消費を増加させる。従って、本願の実施形態で提供される測定方法が使用され、隣接セルを測定し、測定結果に基づいて、キャンプするのに適切なセルを選択することが可能である（例えば、マクロ・セルにキャンプする。マクロ・セルのカバレッジ・エリアはより大きいので、移動状態の端末によるキャンプ・オン・セルを変更する頻度は、端末がマイクロ・セルにキャンプする場合にキャンプ・オン・セルを変更する頻度よりも低い）。このように、キャンプ・オン・セルを更新する頻度と端末の電力消費とが削減される。接続モードの端末が移動状態又は静的状態にある場合、又は接続モードの端末が静的状態にあり、端末を遮る移動物体が存在する場合、本願の実施形態で提供される測定方法が使用され、隣接セルを測定し、次いで報告された測定結果に基づいて適切なセルへのハンドオーバが実行されることもまた可能である（例えば、マクロ・セルにキャンプする。マクロ・セルのカバレッジ・エリアはより大きいので、移動状態の端末によるキャンプ・オン・セルを変更する頻度は、端末がマイクロ・セルにキャンプする場合にキャンプ・オン・セルを変更する頻度よりも低い）。このように、サービング・セルを変更する頻度、即ちハンドオーバ量が削減され、端末の電力消費が削減される。
【００８６】
以下、本願の実施形態で使用されるシステム・アーキテクチャを説明する。
【００８７】
図１Ａは、本願の実施形態による測定方法のシステム・アーキテクチャの図である。図１Ａに示すように、システム・アーキテクチャは、基地局１０１及び端末１０２を含む可能性がある。基地局１０１の信号カバレッジ・エリアは、基地局１０１に対応するセルである。端末１０２は、基地局１０１に対応するセルにキャンプするアイドル・モードの端末である可能性があり、あるいは基地局１０１に対する通信接続を確立した端末である可能性がある。
【００８８】
基地局１０１は、エボルブド・ノードＢ（Ｅ−ＵＴＲＡＮ  Ｎｏｄｅ  Ｂ，  ｅＮＢ）であってもよいし、５Ｇ通信システムにおける次世代ノードＢ（ｎｅｘｔ  ｇｅｎｅｒａｔｉｏｎ  Ｎｏｄｅ  Ｂ，ｇＮＢ）であってもよいことに留意すべきである。
【００８９】
オプションとして、可能な実装において、前述のシステム・アーキテクチャの基地局は仮想的に存在する可能性がある。即ち、図１Ｂに示すように、前述のシステム・アーキテクチャにおける基地局の幾つかの機能が分散ユニット１０３（Ｄｉｓｔｒｉｂｕｔｅｄ  Ｕｎｉｔ，ＤＵ）に配備されることが可能であり、幾つかの機能が集中ユニット（Ｃｅｎｔｒａｌｉｚｅｄ  Ｕｎｉｔ，ＣＵ）１０４に配備されることが可能である。各セル内の基地局はＤＵ１０３で置き換えられてもよく、複数のＤＵ１０３は１つのＣＵ１０４に接続されてもよい。
【００９０】
図２は本願の実施形態による端末１０２の概略構造図である。端末１０２は、移動電話、タブレット・コンピュータなどであってもよい。端末１０２は、主に、送信機１０２１、受信機１０２２、メモリ１０２３、プロセッサ１０２４、及び通信バス１０２５を含む。当業者は、図２に示す端末１０２の構造は、端末１０２に関する限定を構成するものではないこと、端末１０２は、図示されるものよりも多い又は少ない構成要素を含み、あるいは幾つかの構成要素を組み合わせ、あるいは異なる構成要素の配置を有することが可能であることを理解することができる。これは本願のこの実施形態では限定されない。
【００９１】
送信機１０２１は、基地局１０１にデータ及び／又はシグナリングを送信するように構成されてもよい。受信機１０２２は、基地局１０１によって送信されたデータ及び／又はシグナリングを受信するように構成されてもよい。
【００９２】
メモリ１０２３は、基地局１０１によって送信されたデータを格納するように構成されてもよく、メモリ１０２３は、更に、本願の実施形態で提供される測定方法を実行するように構成された１つ以上の動作プログラム及び／又はモジュールを格納するように構成されてもよい。メモリ１０２３は、静的情報及び命令を記憶することができる読み取り専用メモリ（ｒｅａｄ−ｏｎｌｙ  ｍｅｍｏｒｙ，ＲＯＭ）又は他のタイプの静的記憶装置、又は情報及び命令を記憶することができるランダム・アクセス・メモリ（ｒａｎｄｏｍ  ａｃｃｅｓｓ  ｍｅｍｏｒｙ，ＲＡＭ）又は他のタイプの動的記憶装置であってっもよく、又は電気的に消去可能なプログラム可能な読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，ＥＥＰＲＯＭ）、コンパクト・ディスク読み取り専用メモリ（Ｃｏｍｐａｃｔ  Ｄｉｓｃ  Ｒｅａｄ−Ｏｎｌｙ  Ｍｅｍｏｒｙ，ＣＤ−ＲＯＭ）又は他のコンパクト・ディスク記憶装置、光ディスク記憶装置（コンパクト光ディスク、レーザー・ディスク、光ディスク、デジタル多用途ディスク、ブルーレイ・ディスク等を含む）、又は、磁気ディスク記憶媒体、他の磁気記憶装置、又は、命令又はデータ構造の形態で予期されるプログラム・コードを搬送又は記憶するように構成されることが可能なものであってコンピュータによってアクセスされることが可能な任意の他の媒体であってもよいが、これらに限定されない。メモリ１０２３は、独立して存在してもよく、通信バス１０２５を介してプロセッサ１０２４に接続される。あるいは、メモリ１０２３は、プロセッサ１０２４と一体化されてもよい。
【００９３】
プロセッサ１０２４は端末１０２の制御センターである。プロセッサ１０２４は、汎用中央処理装置（Ｃｅｎｔｒａｌ  Ｐｒｏｃｅｓｓｉｎｇ  Ｕｎｉｔ，ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、又は解決策のプログラム実行を制御するように構成された１つ以上の集積回路であってもよい。プロセッサ１０２４は、本願の実施形態で提供される測定方法を実施するために、メモリ１０２３に格納されたソフトウェア・プログラム及び／又はモジュールを動作させる又は実行し、メモリ１０１３に格納されたデータを呼び出すことが可能である。
【００９４】
更に、プロセッサ１０２４及びメモリ１０２３は、通信バス１０２５を介して情報を伝送してもよい。
【００９５】
更に、本願の実施形態は、基地局１０１の構造を更に提供する。具体的には、基地局１０１は、主に５つの構成要素：送信機、受信機、メモリ、プロセッサ、及び通信バスを含む。当業者は、基地局１０１の前述の構造は基地局１０１に対する制限を構成しないことを理解することが可能であり、基地局１０１は、５つの構成要素よりも多い又は少ない構成要素を含んでもよいし、幾つかの構成要素を組み合わせてもよいし、幾つかのコンポーネントを組み合わせてもよいし、異なる構成要素の配置を有してもよい。これは本願の実施形態において限定されない。
【００９６】
基地局１０１の送信機、受信機、メモリ、プロセッサ、及び通信バスの機能は、図２の端末１０２の送信機、受信機、メモリ、プロセッサ、及び通信バスの機能と同じである。詳細は、ここでは再度説明されない。
【００９７】
以下、本願の実施形態で提供される測定方法を詳細に説明する。
【００９８】
アイドル・モードの端末は、現在キャンプ中のセルにおいて、図３又は図４に示す測定方法を用いることで隣接セルを測定し、更に測定結果に基づいてキャンプするセルを再選択することができる。先ずアイドル・モードで端末に使用される第１測定方法を説明する。図３に示すように、この方法は以下のステップを含むことが可能である。
【００９９】
ステップ３０１：端末は、第１持続時間Δｔ１又は第１閾値を指定する情報を、ネットワーク・デバイスから受信する。
【０１００】
本願のこの実施形態では、ネットワーク・デバイスは、端末が現在キャンプしているセルに応対する基地局であってもよく、端末はアイドル・モードにあり、基地局との接続を確立していない。この場合、基地局は、第１持続時間Δｔ１又は第１閾値を指定する情報をブロードキャストすることができる。情報は、Δｔ１のみを指定する情報であってもよいし、第１閾値のみを指定する情報であってもよいし、あるいはΔｔ１及び第１閾値を指定する情報であってもよい。端末は、基地局によりブロードキャストされる情報を受信することができる。以下の説明を容易にするために、第１持続時間は本願ではΔｔ１として記されることに留意すべきである。
【０１０１】
更に、このステップはオプションのステップであり、第１持続時間Δｔ１及び／又は第１閾値は、端末において事前に設定されていてもよい。
【０１０２】
ステップ３０２：端末は、Δｔ１においてセル状態変数の変動ΔSΔｔ１が第１閾値以上であるか否かを判定する。
【０１０３】
ΔＳΔｔ１＝｜ＳｔＲＥＦ−ＳｔＲＥＦ＋Δｔ１｜であり、ＳｔＲＥＦは基準時点ｔＲＥＦにおける現在キャンプ中のセルのセル状態変数であり、ＳｔＲＥＦ＋Δｔ１は現在キャンプ中のセルのｔＲＥＦ＋Δｔ１におけるセル状態変数である。セル状態変数は、信号電力ＲＳＲＰ又は信号品質ＲＳＲＱを含む。換言すれば、ＳｔＲＥＦは、ｔＲＥＦの時点で端末により測定される、現在キャンプ中のセルの信号品質又は信号電力であり、ＳｔＲＥＦ＋Δｔ１は、ｔＲＥＦ＋Δｔ１で端末によって測定される、現在キャンプ中のセルの信号品質又は信号電力であり、ΔＳΔｔ１は、Δｔ１において端末によって測定される、現在キャンプ中のセルの信号品質又は信号電力の変動である。ＳｔＲＥＦは、ＳｔＲＥＦ＋Δｔ１より大きい又は小さい可能性がある。Δｔ１におけるセル状態変数の変動の大きさは、セル状態変化の程度を表すことができる。
【０１０４】
更に、本願のこの実施形態において、基準時点ｔＲＥＦは、端末が現在キャンプ中のセルにキャンプした時点であってもよいし、あるいは端末がＳｔＲＥＦを更新した時点であってもよい。
【０１０５】
これに基づいて、可能な実装において、端末は、現在キャンプ中のセルに端末がキャンプした時点で、現在キャンプ中のセルの信号品質又は信号電力を測定して記録し、ＳｔＲＥＦを取得し、その時点から計時を実行する。Δｔ１の後、端末は、現在キャンプ中のセルの信号品質又は信号電力を再度測定してＳｔＲＥＦ＋Δｔ１を取得し、ＳｔＲＥＦとＳｔＲＥＦ＋Δｔ１との間の差分である絶対値ΔＳΔｔ１を計算する。端末はタイマーを用いて計時を実行してもよい。具体的には、端末は、端末が現在キャンプ中のセルにキャンプした時点でタイマーを開始することが可能であり、タイマーの動作持続時間はΔｔ１である。タイマーが切れると、端末は、現在キャンプ中のセルの信号品質又は信号電力を再度測定するようにトリガされる。
【０１０６】
別の可能な実装では、端末はＳｔＲＥＦを更新する時点から計時を開始してもよい。Δｔ１の後、端末は、ＳｔＲＥＦ＋Δｔ１を取得するために、現在キャンプ中のセルの信号品質又は信号電力を再び測定し、ＳｔＲＥＦとＳｔＲＥＦ＋Δｔ１との間の差分である絶対値ΔＳΔｔ１を計算する。
【０１０７】
オプションとして、ｔＲＥＦ＋Δｔ１は、端末が最後の測定を実行した時点、又は最新の測定を実行した時点であってもよく、例えば、現時点（Ｃｕｒｒｅｎｔ）として定義されてもよい。ＳｔＲＥＦ＋Δｔ１は最新の測定の結果又は現時点の測定の結果である。
【０１０８】
オプションとして、ΔＳΔｔ１はまた、Δｔ１において端末がキャンプしたセルの変更回数であってもよい。端末がキャンプしたセルの変更回数を数える具体的な方法は、具体例を用いて次のように説明される：例えば、端末がセルＡからセルＢに再選択した場合、端末がキャンプするセルを変更した回数は１であり；端末がセルＡからセルＢに再選択した後にセルＢからセルＣに再選択した場合、あるいはセルＡからセルＢに再選択した後にセルＢからセルＡに再選択した場合、端末がキャンプするセルを変更した回数は２である。これに基づいて、端末がｔＲＥＦでキャンプするセルがセルＡであり、端末がｔＲＥＦ＋Δｔ１でキャンプするセルがセルＣであると仮定する。この場合、ΔＳΔｔ１は、端末がΔｔ１においてセルＡからセルＣへ再選択するプロセスにおける全てのセルの量である。
【０１０９】
前述の説明から、ΔＳΔｔ１は、現在キャンプ中のセルの信号品質又は信号電力のΔｔ１における変動であってもよいし、又はΔｔ１において端末がキャンプしたセルの変更量であってもよいことを学ぶことができる。これに対応して、第１閾値は、信号品質変動閾値又は信号電力変動閾値であってもよいし、又はセル変更量閾値であってもよい。
【０１１０】
セル状態変数の変動が、現在キャンプ中のセルの信号品質又は信号電力のΔｔ１における変動である場合、端末は、現在キャンプ中のセルの信号品質又は信号電力のΔｔ１における変動が、第１閾値以上であるか否かを判定することによって、現在キャンプ中のセルの信号品質又は信号電力が激しく変化するか否かを判定することができる。現在キャンプ中のセルの信号品質又は信号電力のΔｔ１における変動が第１閾値以上である場合、それは、セルの信号が比較的激しく変化することを示す。この場合、端末はステップ３０３を実行することが可能である。そうでない場合、端末はステップ３０５を実行することが可能である。
【０１１１】
オプションとして、セル状態変数の変動が、Δｔ１において端末がキャンプするセルを変更した回数を指すに場合、端末は、Δｔ１において変化したセルの量が第１の閾値以上であるか否かを判定することによって、端末が頻繁にセルを再選択するか否かを判定することができる。Δｔ１において端末がキャンプするセルを変更した回数が第１閾値以上である場合、端末は比較的頻繁にセルを再選択することを示す。この場合、端末はステップ３０３を実行することが可能である。そうでない場合、端末はステップ３０５を実行することが可能である。
【０１１２】
オプションとして、このステップにおいて、セルの信号変化の程度又はセル再選択頻度を判定するために、端末は、ΔＳΔｔ１が第１閾値以上であるか否かを判定する。従って、本願のこの実施形態の可能な実装におけるこのステップにおいて、ΔＳΔｔ１が第１閾値以上であるか否かを端末により決定することは、代替的に、別の実装で置換されてもよい。具体的には、本願のこの実施形態では、ネットワーク・デバイスから端末によって受信される第１閾値は、端末のためにネットワーク・デバイスによって設定された初期閾値であってもよい。第１閾値を受信した後に、端末は、第１閾値に対して対応する処理を実行し、処理された閾値を得ることができる。端末は、ΔＳΔｔ１を処理された閾値と比較して、セルの信号変化の程度又はセル再選択頻度を決定することができる。
【０１１３】
ステップ３０３：ΔＳΔｔ１が第１閾値以上である場合に、端末は、現在キャンプ中のセルの１つ以上の隣接セル内の１つ以上の第１セルの信号品質ＲＳＲＱ又は信号電力ＲＳＲＰを測定する。
【０１１４】
信号品質ＲＳＲＱはリファレンス信号受信品質（Ｒｅｆｅｒｅｎｃｅ  Ｓｉｇｎａｌ  Ｒｅｃｅｉｖｅｄ  Ｑｕａｌｉｔｙ）であり、信号電力ＲＳＲＰはリファレンス信号受信電力（Ｒｅｆｅｒｅｎｃｅ  Ｓｉｇｎａｌ  Ｒｅｃｅｉｖｅｄ  Ｐｏｗｅｒ）である。
【０１１５】
ステップ３０２において、ΔＳΔｔ１が第１閾値以上であると判定された場合、それは、端末が現在キャンプ中のセルの信号が比較的激しく変化しているか、又は端末が比較的頻繁にセルを再選択していることを示す。端末が現在キャンプしているセルの信号が比較的激しく変化している場合、それは、端末は現在キャンプ中のセルで異常に早期に動作している可能性が非常に高い。この場合、端末は隣接セルについて測定を開始することが可能である。端末が比較的頻繁にセルを再選択する場合、それは、端末が過度に頻繁にセルを変化させていることを示す。この場合、端末は、測定結果に基づいて、より適切なセルを再選択してキャンプするために（例えば、より大きなカバレッジ・エリアを有するセルにキャンプするために）、隣接セルで測定を開始することができる。これは、端末がセルを測定して再選択する回数を減らす。端末は、隣接セル内の１つ以上の第１セルの信号品質を測定することが可能であり、第１セルの周波数は、現在キャンプ中のセルの周波数と同一である又は相違する可能性がある。換言すれば、隣接セルは、インター周波数隣接セル及び／又はイントラ周波数隣接セルを含む。
【０１１６】
更に、現在キャンプ中のセルの信号が激しく変化したり、あるいは端末が比較的頻繁にセルを再選択したりする場合において、端末が、隣接セルの測定結果に基づいて、現在キャンプ中のセルと同じカバレッジ・エリア又はそれより小さなカバレッジ・エリアを有するセルに再選択すると、端末の移動プロセスにおいて、比較的距離が短い移動でさえ、比較的大きな信号品質の変化を引き起こす。この場合、端末は頻繁にセル測定及び再選択を行い、端末の電力消費を増加させる。これに基づいて、本願のこの実施形態では、現在キャンプ中のるセルの信号が激しく変化するか、又は端末が比較的頻繁にセルを再選択する場合、端末によって行われるその後の頻繁な測定及び再選択を回避するために、端末によって測定され得る第１セルは、現在キャンプ中のセルのものより大きいセルであるとすることが可能である。第１セルのカバレッジ・エリアは、端末が現在キャンプ中のセルのカバレッジ・エリアより大きいので、端末は、第１セルの信号品質又は信号電力を測定することによって、現在キャンプ中のセルのカバレッジ・エリアよりもカバレッジ・エリアが大きいセルに再選択することが可能である。このように、端末が移動状態にあったとしても、端末が同じ距離を移動する場合に、第１セルの信号は、端末がカバレッジ・エリアの狭いセルにキャンプする場合と比較して、より緩慢に変化する。このように、端末がセル測定を行う回数と、測定結果に基づいてセル再選択を行う回数とは比較的削減され、端末の電力消費を削減することができる。
【０１１７】
端末が現在キャンプ中のセルの隣接セルは、カバレッジ・エリアが現在キャンプ中のセルのものより広い第１セルと、カバレッジ・エリアが現在キャンプ中のセルのものと同じか又は狭いセルとの両方を含む可能性があることに留意すべきである。本願のこの実施形態では、セルの配備の間に、各セルのカバレッジ・エリアは、各セルの周波数の優先度、各セルの優先度、各セルの周波数、又は各セルのセル・タイプを使用することによって表現されてもよい。
【０１１８】
具体的には、セルのカバレッジ・エリアがセルの周波数の優先度を利用して表現される場合、より大きなカバレッジ・エリアを有するセルの周波数の優先度は、より小さな値に設定され、より小さなカバレッジ・エリアを有するセルの周波数の優先度は、より大きな値に設定されることが可能である。この場合、端末は、周波数及び周波数の優先度を示す情報を、ネットワーク・デバイスから受信することができる。このように、ΔＳΔｔ１が第１閾値以上であると判断した場合、端末は、セルの周波数の優先度に基づいて、現在キャンプ中のセルの隣接セルの中から、より大きなカバレッジ・エリアを有する第１セルを選択し、測定を実行することができる。
【０１１９】
端末は、少なくとも２つの周波数（即ち、２つ以上の周波数）と、少なくとも２つの周波数のそれぞれに対応する優先度とを含むコンフィギュレーション情報を、ネットワーク・デバイスから受信することが可能であり、少なくとも２つの周波数は、現在キャンプ中のセルの周波数を含む。端末は、少なくとも２つの周波数の中から、現在キャンプ中のセルの周波数の優先度よりも優先度が低い周波数を選択し、隣接セル内にあり且つ選択された周波数で配備されている１つ以上の第１セルの信号品質を測定することができる。周波数のより低い優先度は、対応する周波数で配備されたセルのより広いカバレッジ・エリアを示す。従って、少なくとも２つの周波数から端末によって選択された周波数の優先度は、現在キャンプ中のセルの周波数の優先度よりも低く、即ち、選択された周波数で配備されたセルのカバレッジ・エリアは、現在キャンプ中のセルのカバレッジ・エリアよりも広い。このように、端末が隣接セルにおいて選択された周波数で配備されたセルを測定する場合、端末は、隣接セル内にある第１セルであって、そのカバレッジ・エリアが現在キャンプ中のセルのカバレッジ・エリアよりも大きい第１セルを実際に測定する。
【０１２０】
セルのカバレッジ・エリアがセルの優先度を利用して表現される場合、より大きなカバレッジ・エリアを有するセルの優先度は、より小さな値に設定されることが可能であり、より小さなカバレッジ・エリアを有するセルの優先度は、より大きな値に設定されることが可能である。この場合、端末は、ネットワーク・デバイスから、セルの優先度を示す情報を受信することができる。このように、ΔＳΔｔ１が第１閾値以上であると判断した場合、端末は、隣接セルの中から、現在キャンプ中のセルのものより低い優先度を有するセルを、第１セルとして選択することができる。より低い優先度は、より大きなカバレッジ・エリアを示す。第１セルの優先度は、現在キャンプ中のセルのものより低いので、第１セルのカバレッジ・エリアは、現在キャンプ中のセルのカバレッジ・エリアより大きい。
【０１２１】
セルのカバレッジ・エリアがセルの周波数を利用して表現される場合、一般に、より低い周波数のセルは、より大きなカバレッジ・エリアを有し、より高い周波数のセルは、より小さなカバレッジ・エリアを有する。この場合、端末は、ネットワーク・デバイスから、セルの周波数を示す情報を受信することができる。このように、ΔＳΔｔ１が第１閾値以上であると判断した場合、端末は、隣接セルの中から、現在キャンプ中のセルのものより低い周波数を有するセルを、第１セルとして選択することができる。より低い周波数は、より大きなカバレッジ・エリアを示す。第１セルの周波数は、現在キャンプ中のセルのものより低いので、第１セルのカバレッジ・エリアは、現在キャンプ中のセルのカバレッジ・エリアより大きい。
【０１２２】
セルのカバレッジ・エリアがセル・タイプを利用して表現される場合、より大きなカバレッジ・エリアを有するセルのセル・タイプはマクロ・セルとして設定される可能性があり、より小さなカバレッジ・エリアを有するセルのセル・タイプはマイクロ・セルとして設定される可能性がある。この場合、端末は、ネットワーク・デバイスから、セルのセル・タイプを示す情報を受信することができる。このように、端末は、ΔＳΔｔ１が第１閾値以上であることを判断した場合、隣接セルの中から、セル・タイプがマクロ・セルであるセルを第１セルとして選択することができる。
【０１２３】
オプションとして、可能な実装において、セルのカバレッジ・エリアがセル・タイプを利用して表現される場合、比較的大きなカバレッジ・エリアを有するセルは１つ以上の第１周波数で配備される可能性があり、第１周波数に対応するセル・タイプはマクロ・セルに設定され；比較的小さなカバレッジ・エリアを有するセルが１つ以上の第２周波数で配備され、第２周波数に対応するセル・タイプはマイクロ・セルに設定される。この場合、端末は、少なくとも２つの周波数と、少なくとも２つの周波数のそれぞれに対応するセル・タイプとを含む情報を、ネットワーク・デバイスから受信することができ、少なくとも２つの周波数は、現在キャンプ中のセルの周波数を含む。端末は、少なくとも２つの周波数の中から、セル・タイプがマクロ・セルであるものに対応する周波数を選択し、隣接セル内にあり且つ選択された周波数で配備された１つ以上のセルを、１つの第１セル又は複数の第１セルとして使用することが可能である。
【０１２４】
オプションとして、端末は、ΔＳΔｔ１が第１閾値以上であると判断した場合に、第１タイマーを更に開始することが可能であり、第１タイマーの動作持続時間は第２持続時間Δｔ２である。Δｔ２において、端末は、現在キャンプ中のセル及び隣接セルを連続的に測定することができる。端末が隣接セルの信号を測定することによって別のセルを再選択しない場合、端末は、Δｔ２において現在キャンプ中のセルを測定することによって、複数のセル状態変数｛Ｓｉ｜ｉは正の整数，ｉ≦Ｎ｝を取得することが可能であり、Ｎは、Δｔ２において現在キャンプ中のセルを測定する合計回数であり、Ｓｉはｉ番目の測定によって得られるセル状態変数である。｛Ｓｉ｜ｉは正の整数，ｉ≦Ｎ｝における任意のＳｉが、｜ＳｔＲＥＦ−Ｓｉ｜は第１閾値以上であることを充足する場合に、ＳｔＲＥＦがＳＮに等しくなるようにＳｔＲＥＦは更新される。即ち、本願のこの実施形態では、端末は、Δｔ２において測定された全てのセル状態変数とＳｔＲＥＦとを比較することができる。全ての測定されたセル状態変数の各々とＳｔＲＥＦとの間の差分の絶対値が第１閾値以上である場合、端末は、更新されたＳｔＲＥＦがＳＮに等しくなるように、ＳｔＲＥＦを更新することが可能であり、ＳＮは第１タイマーが動作しているΔｔ２における最後の測定により得られるセル状態変数である。オプションとして、Δｔ２の終了時点は現時点（Ｃｕｒｒｅｎｔ）と言及されてもよく、ＳＮは最新の測定によって得られるセル状態変数である。
【０１２５】
ΔＳΔｔ１が第１閾値以上であると判断した場合、端末は隣接セルで測定を開始してよいことを、前述の説明から学ぶことができる。更に、端末は、現在キャンプ中のセルのセル状態変数をΔｔ２において連続的に測定し、測定されたセル状態変数とＳｔＲＥＦとの間の差分を計算する。このように、端末がΔｔ２の間に他のセルを再選択することに失敗した場合、端末は、前述の方法を使用することによってＳｔＲＥＦを更新することができる。次いで、端末は、更新されたＳｔＲＥＦを使用することによって、ΔＳΔｔ１が第１閾値以上であるか否かを決定し、再度測定を開始するか否かを決定することができる。端末が隣接するセルを連続的に測定する場合と比較して、測定の回数は削減され、端末の電力消費は削減される。
【０１２６】
端末は、ステップ３０１〜３０３で説明した測定方法を利用することにより、セルの状態が比較的激しく変化すると判断した場合にのみ、隣接セルの測定を開始することができる。現在キャンプ中のセルの信号品質の変動が特定の閾値に達した直後に測定が行われる従来技術の方法と比較すると、本願においては、測定の回数が削減される。更に、セル状態が比較的激しく変化する場合、端末は、ステップ３０４を更に実行すること、即ち測定結果に基づいてセル再選択を実行することが可能であり、その結果、端末は、幾つかのシナリオにおいて、可能な限り広いカバレッジ・エリアを有するセルに再選択し、セル再選択の回数を減らし、端末の電力消費を減らすことができる。
【０１２７】
ステップ３０４：信号品質又は信号電力が第３閾値以上であるセルを１つ以上の第１セルが含む場合に、端末は第２セルを再選択し、ここで、第２セルは、信号品質又は信号電力が１つ以上の第１セルの第３閾値以上である第１セルである。
【０１２８】
端末は、ステップ３０３の測定により、現在キャンプ中のセルの隣接セル内の１つ以上の第１セルの信号品質又は信号電力を知った後に、端末は、１つ以上の第１セルの信号品質又は信号電力に基づいて、セル再選択を実行することが可能である。端末は、１つ以上の第１セルにおいて最良の信号を有するセルを再選択することができる。具体的には、端末は、１つ以上の第１セルにおいて信号品質又は信号電力が第３閾値以上である第１セルを、第２セルとして使用し、第２セルを再選択することができる。確かに、信号品質又は信号電力が第３閾値以上である複数の第１セルが存在する場合、端末は、最も高い信号品質又は信号電力を有する第１セルを、第２セルとして使用して、第２セルを再選択することができる。
【０１２９】
ステップ３０５：ΔＳΔｔ１が第１閾値未満である場合、端末は、ｔＲＥＦ＋Δｔ１の時点で計時を再始動し、セル状態変数の変動を再計算し、ステップ３０２を再度実行する。
【０１３０】
ΔＳΔｔ１が第１閾値未満である場合、セル状態変数の変動は、端末による測定を開始するたえの条件を充足しないことを示す。この場合、端末は現在の時点からｔＲＥＦ＋Δｔ１の時点へ計時を再開し、ｔＲＥＦからｔＲＥＦ＋Δｔ１へ時点を更新することが可能である。Δｔ１の後、即ちｔＲＥＦ＋Δｔ１の時点において、端末は、セル状態変数を再度測定し、測定されたセル状態変数と、ｔＲＥＦの時点で存在するセル状態変数ＳｔＲＥＦとの間の差分の絶対値を計算し、ΔＳΔｔ１を取得する。次いで、端末は、ステップ３０２を再度実行し、ΔＳΔｔ１を第１閾値と比較することができる。ΔＳΔｔ１が第１閾値以上である場合、ステップ３０３及び３０４が実行されることが可能である。ΔＳΔｔ１が第１閾値未満である場合、前述のプロセスが反復されることが可能である。
【０１３１】
オプションとして、可能な実装において、ΔＳΔｔ１が第１閾値未満であると判断した場合、端末は、セル状態変数をＳｔＲＥＦからＳｔＲＥＦ＋Δｔ１へ更に更新し、次から次へ更新し、ｔＲＥＦ＋Δｔ１の時点から計時を再始動してもよい。この場合、時点はｔＲＥＦからｔＲＥＦ＋Δｔ１へ更新される。Δｔ１の後、即ちｔＲＥＦ＋Δｔ１の時点において、端末は、セル状態変数を再度測定し、測定されたセル状態変数ＳｔＲＥＦ＋Δｔ１と、ｔＲＥＦの時点で存在するセル状態変数ＳｔＲＥＦとの間の差分の絶対値を計算し、ΔＳΔｔ１を取得する。次いで、端末は、ステップ３０２を再度実行し、ΔＳΔｔ１を第１閾値と比較することができる。ΔＳΔｔ１が第１閾値以上である場合、ステップ３０３及び３０４が実行される。ΔＳΔｔ１が第１閾値未満である場合、前述のプロセスが反復されることが可能である。
【０１３２】
本願のこの実施形態では、端末はタイマーを設定することにより計時を実行できることに留意すべきである。
【０１３３】
オプションとして、前述の２つの方法においてステップ３０２に戻された場合、端末は、更に第１閾値を更新することができる。例えば、端末は、第１閾値から指定された値を減算し、その結果を新しい第１閾値として使用し、次いで、セル状態変数の変動を、更新された第１閾値と比較することができる。
【０１３４】
本願のこの実施形態では、端末は、第１持続時間においてセル状態変数の変動が第１閾値以上であるか否かを判定することができる。第１持続時間が第１閾値以上である場合、端末は、現在キャンプ中のセルの隣接セル内の１つ以上の第１セルの信号品質又は信号電力を測定することができる。即ち、本願のこの実施形態では、端末は、第１持続時間におけるセル状態変数の変動に基づいて、現在キャンプ中のセルの隣接セルで測定を開始するか否かを決定することができ、ここで、第１持続時間におけるセル状態変数の変動は、セル状態が激しく変化するか否かを実際に反映する。本願のこの実施形態では、端末は、セル状態が比較的激しく変化したと判断した場合にのみ、隣接セルで測定を開始できることが分かる。現在キャンプ中のセルの信号品質の変動が特定の閾値に達した直後に測定が実行される従来技術の方法と比較すると、本願においては、測定の回数が削減され、端末の電力消費が削減される。
【０１３５】
また、本願において、端末によって測定される１つ以上の第１セルは、現在キャンプ中のセルのカバレッジ・エリアよりもカバレッジ・エリアが広いセルである可能性がある。従って、１つ以上の第１セルの測定された信号品質又は信号電力が、信号品質又は信号電力が第３閾値以上であるセルを含む場合、端末は第２セルに再選択することができ、第２セルは、１つ以上の第１セルにおいて信号品質又は信号電力が第３閾値以上である第１セルである。このように、アイドル・モード及び移動状態における端末が現在キャンプしているセルの信号が比較的激しく変化する場合、又は端末が比較的頻繁にセルを再選択する場合、端末は、より広いカバレッジ・エリアを有するセルを直接的に再選択することができる。このように、再選択されたセルのカバレッジ・エリアは、前のセルのものより大きいので、端末が移動する場合に、信号品質は、比較的小さな移動距離に起因して、激しくは変化しない。更に、セルの測定や再選択は頻繁には実行されない。これにより、端末により実行されるセル測定や再選択の回数は削減され、端末の電力消費は削減される。
【０１３６】
以下、アイドル・モードの端末に対して使用される第２測定方法を説明する。図４に示すように、本方法は以下のステップを含む。
【０１３７】
ステップ４０１：第１閾値又は第２閾値を示す情報をネットワーク・デバイスから受信する。
【０１３８】
本願のこの実施形態では、ネットワーク・デバイスは、端末が現在キャンプ中のセルに応対する基地局であってもよく、端末はアイドル・モードにあり、基地局との接続を確立していない。この場合、基地局は、第１閾値又は第２閾値を示す情報をブロードキャストすることができる。情報は、第１閾値のみを指定する情報であってもよいし、第２閾値のみを指定する情報であってもよいし、又は第１閾値及び第２閾値を指定する情報であってもよい。端末は、基地局によりブロードキャストされる情報を受信することができる。
【０１３９】
第１閾値は、信号品質変動閾値、信号電力変動閾値、又はセル変更量閾値であってもよいことに留意すべきである。第２閾値は時間閾値である。
【０１４０】
更に、このステップはオプションのステップであり、第１閾値及び／又は第２閾値は、端末で事前に設定されていてもよい。
【０１４１】
ステップ４０２：セル状態変数の変動ΔＳが第１閾値以上である場合、ΔＳに到達するための持続時間ΔｔΔＳが第２閾値以下であるか否かを判定する。
【０１４２】
ΔＳ＝｜ＳｔＲＥＦ−ＳｔＲＥＦ＋ΔｔΔＳ｜であり、ここで、ＳｔＲＥＦは基準時点ｔＲＥＦにおける現在キャンプ中のセルのセル状態変数であり、ＳｔＲＥＦ＋ΔｔΔＳは現在キャンプ中のセルのｔＲＥＦ＋ΔｔΔＳにおけるセル状態変数である。セル状態変数は、信号電力ＲＳＲＰ又は信号品質ＲＳＲＱを含む。信号品質ＲＳＲＱはリファレンス信号受信品質（Ｒｅｆｅｒｅｎｃｅ  Ｓｉｇｎａｌ  Ｒｅｃｅｉｖｅｄ  Ｑｕａｌｉｔｙ）、信号電力ＲＳＲＰはリファレンス信号受信電力（Ｒｅｆｅｒｅｎｃｅ  Ｓｉｇｎａｌ  Ｒｅｃｅｉｖｅｄ  Ｐｏｗｅｒ）である。即ち、本願のこの実施形態では、端末は、基準時点ｔＲＥＦにおける現在キャンプ中のセルのセル状態変数ＳｔＲＥＦを測定することができる。同時に、端末はタイマーを起動することができる。次いで、端末は、現在キャンプ中のセルのセル状態変数を連続的に測定し、測定の各時点の後に、現在測定したセル状態変数と基準時点ｔＲＥＦで測定したセル状態変数との間の差分の絶対値ΔＳを計算することができる。端末は、ΔＳが第１閾値以上であるか否かを判定する。ΔＳが第１閾値以上である場合、端末は、タイマーを使用することによって、基準時点ｔＲＥＦから現在の時点（即ち、セル状態変数の変動がΔＳに到達する時点）までの持続時間ΔｔΔＳを取得し、ΔｔΔＳが第２閾値以下であるか否かを決定することができる。前述の方法によれば、端末は、基準時点ｔＲＥＦの後に存在するセル状態変数をリアルタイムで測定し、セル状態変数の変動をリアルタイムで得ることができる。セル状態変数の変動が第１閾値に到達すると、端末は、経過した持続時間に基づいてセル状態変動の程度を判定する。特定の持続時間の終了時点でセル状態変数を直接的に測定し、測定結果に基づいてセル状態変数の変動を計算するのと比較すると、セル状態変数の変動に基づいてセル状態変動の程度を決定することは、より正確である。
【０１４３】
基準時点ｔＲＥＦは、現在キャンプ中のセルに端末がキャンプした時点であってもよいし、又は端末がＳｔＲＥＦを更新する時点であってもよいことに留意すべきである。
【０１４４】
オプションとして、ｔＲＥＦ＋ΔｔΔＳは、端末が最終の測定を実行した時点、又は端末が最新の測定を実行した時点であってもよく、例えば現時点（Ｃｕｒｒｅｎｔ）と定義されてもよい。ＳｔＲＥＦ＋ΔｔΔＳは最新の測定の結果、又は現時点の測定の結果である。
【０１４５】
これに基づいて、可能な実装において、端末は、現在キャンプ中のセルに端末がキャンプした時点で、現在キャンプ中のセルの信号品質又は信号電力を測定して記録し、ＳｔＲＥＦを取得する。更に、端末は、その時点から現在キャンプ中のセルの信号品質又は信号電力を連続的に測定し、ＳｔＲＥＦ＋ΔｔΔＳが測定により得られる度に、ＳｔＲＥＦとＳｔＲＥＦ＋ΔｔΔＳとの間の差分である絶対値ΔＳを算出する。
【０１４６】
他の可能な実装において、端末は、ＳｔＲＥＦを更新する時点を基準時点として使用し、その時点で測定されたセル状態変数を、更新されたＳｔＲＥＦとして使用してもよい。次に、端末は、再度、現在キャンプ中のセルの信号品質又は信号電力を連続的に測定し、ＳｔＲＥＦ＋ΔｔΔＳが測定により得られる度に、ＳｔＲＥＦとＳｔＲＥＦ＋ΔｔΔＳとの間の差分である絶対値ΔＳを算出する。
【０１４７】
ΔＳが第１閾値以上である判定された場合、それは、セル状態が大きく変化したことを示す。この場合、端末は更に、そのような大きな変化のために使用される時間期間ΔｔΔＳを決定することができる。ΔｔΔＳが第２閾値以下である場合、それは、セル状態が比較的短い時間期間に大きく変化したこと、即ち、セル状態が比較的激しく変化したことを示す。この場合、端末はステップ４０３を実行することが可能である。そうでない場合、端末はステップ４０５を実行することが可能である。
【０１４８】
オプションとして、このステップにおいて、第１閾値及び第２閾値は主にセル状態が激しく変化するか否かを判定するために使用される。これに基づいて、本願のこの実施形態において、このステップは代替的に別の実装で置換されてもよい。具体的には、本願のこの実施形態では、ネットワーク・デバイスから端末によって受信された第１閾値又は第２閾値は、端末のためにネットワーク・デバイスによって設定された初期閾値であってもよい。第１閾値又は第２閾値を受信した後に、端末は、第１閾値又は第２閾値に対して対応する処理を実行し、処理された閾値を得ることができる。端末は、ΔＳを処理された第１閾値と比較して、又はΔｔΔＳを処理された閾値と比較して、セル状態が激しく変化したか否かを判定することができる。
【０１４９】
ステップ４０３：ΔｔΔＳが第２閾値以下である場合に、現在キャンプ中のセルの１つ以上の隣接セル内の１つ以上の第１セルの信号品質ＲＳＲＱ又は信号電力ＲＳＲＰを測定する。
【０１５０】
ステップ４０２により、ΔｔΔＳが第２閾値以下であると判定された場合、それは、端末が現在キャンプしているセルの信号が比較的激しく変化することを示し、端末は現在キャンプ中のセルで異常に早期に動作している可能性が非常に高い。この場合、端末は、隣接セルに関して測定を開始し、測定結果に基づいて、より適切なセルを再選択してキャンプすることが可能である。
【０１５１】
端末は、現在キャンプ中のセルの隣接セル内の１つ以上の第１セルの信号品質又は信号電力を測定することができ、ここで、第１セルは、隣接するセル内にあるセルであって、その周波数が現在キャンプ中のセルの周波数と同一又は異なるセルである。オプションとして、第１セルは、代替的に、端末が現在キャンプしているセルのカバレッジ・エリアよりもカバレッジ・エリアが大きいセルである可能性がある。
【０１５２】
具体的には、第１セルが、端末が現在キャンプしているセルのカバレッジ・エリアよりもカバレッジ・エリアが大きいセルである場合における、端末が隣接セル内の１つ以上の第１セルを測定する特定の実装については、前述の実施形態のステップ３０３における関連する実装を参照されたい。詳細は本願のこの実施形態において再度説明されない。
【０１５３】
オプションとして、ΔｔΔＳが第２閾値以下であると判断した場合、端末は第１タイマーを更に始動し、ここで、第１タイマーの動作持続時間は第２持続時間Δｔ２である。Δｔ２において、端末は、現在キャンプ中のセルを測定することができる。端末が隣接セルの信号を測定することによって別のセルに再選択しない場合、端末は、Δｔ２において複数のセル状態変数｛Ｓｉ｜ｉは正の整数，ｉ≦Ｎ｝を取得することが可能であり、ここで、ＮはΔｔ２において現在キャンプ中のセルを測定する合計回数であり、Ｓｉはｉ番目の測定によって得られるセル状態変数である。｛Ｓｉ｜ｉは正の整数，ｉ≦Ｎ｝のうちの任意のＳｉが第１閾値以上である場合、ＳｔＲＥＦがＳＮに等しくなるように、ＳｔＲＥＦが更新される。即ち、本願のこの実施形態では、端末は、Δｔ２において測定された全てのセル状態変数とＳｔＲＥＦを比較することができる。全ての測定されたセル状態変数の各々とＳｔＲＥＦとの間の差分の絶対値が第１閾値以上である場合、端末はＳｔＲＥＦを更新することが可能であり、その結果、更新されたＳｔＲＥＦはＳＮに等しくなり、ここで、ＳＮは第１タイマーが動作するΔｔ２における最後の測定により得られるセル状態変数の変動である。オプションとして、Δｔ２の終了時点は現時点（Ｃｕｒｒｅｎｔ）と言及されてもよく、ＳＮは最新の測定によって得られるセル状態変数である。
【０１５４】
端末は、ステップ４０１〜４０３で説明された測定方法を利用することにより、セル状態が比較的激しく変化すると判断した場合にのみ、隣接セルの測定を開始することができる。現在キャンプ中のセルの信号品質の変動が特定の閾値に達した直後に測定が行われる従来技術の方法と比較すると、本願では、測定の回数が削減される。更に、現在キャンプ中のセルのセル状態変数が激しく変化した場合、端末は、ステップ４０４を更に実行してもよく、即ち、測定結果に基づいてセル再選択を実行してもよい。このように、端末は、比較的広いカバレッジ・エリアを有するセルを可能な限り再選択し、セル再選択の回数を減らし、端末の電力消費を減らすることができる。
【０１５５】
ステップ４０４：１つ以上の第１セルが、信号品質又は信号電力が第３閾値以上であるセルを含む場合に、端末は第２セルを再選択し、ここで、第２セルは、１つ以上の第１セルにおいて信号品質又は信号電力が第３閾値以上である第１セルである。
【０１５６】
このステップの具体的な実装については、前述の実施形態のステップ３０４の具体的な実装を参照されたい。詳細は、本願のこの実施形態においてここで再度説明されない。
【０１５７】
本願のこの実施形態では、端末は、ネットワーク・デバイスから、第１閾値及び第２閾値を指定する情報を受信することができる。次いで、端末は、セル状態変数の変動ΔＳが第１閾値以上であるか否かを決定することができる。ΔＳが第１閾値以上である場合、端末は、ΔＳに到達するための持続時間が第２閾値以下であるか否かを更に判定することができる。持続時間が第２閾値以下である場合、それは、セルの状態が比較的短時間で大きく変化することを示す。この場合、端末は隣接セルで測定を開始することが可能であり、その結果、端末は、測定結果に基づいて、より適切なセルを再選択してキャンプすることができる。本願において、端末は、セル状態が比較的激しく変化した場合にのみ、隣接セル上で測定を開始する。従って、セル状態が比較的大きく変化した直後に測定が行われる従来技術と比較すると、本願においては、測定の回数が削減され、相応してセル再選択の回数が削減される。更に、本願においては、セル再選択の間に、端末は、隣接セル内で比較的大きなカバレッジ・エリアを有するセルのみを測定することによって、現在キャンプしているセルのものよりカバレッジ・エリアが大きいセルを再選択することができる。従って、端末が移動状態にある場合でさえ、再選択されるセルのカバレッジ・エリアはより大きいので、信号品質は、相対的に小さな移動距離に起因して、激しくは変化しない。更に、セル測定又は再選択は頻繁には実行されない。このように、端末によるセル測定及び再選択の回数は削減され、端末の電力消費は削減される。
【０１５８】
前述の実施形態では、アイドル・モードの端末が現在キャンプ中のセルで隣接セルを測定し、測定結果に基づいてキャンプする他のセルを再選択する特定の実装プロセスが、主に説明されている。接続モードの端末の場合、端末は、端末が現在キャンプしているセルに応対する基地局との通信接続を確立しているので、端末は、図５及び図６に示す２つの測定方法を用いることで隣接セルを測定することが可能であり、報告された測定結果に基づいて、現在キャンプ中のセルから別のセルへハンドオーバされる。先ず、接続モードにおける端末に使用される第１測定方法を以下に説明する。図５に示すように、本方法は、以下のステップを含む。
【０１５９】
ステップ５０１：端末は、ネットワーク・デバイスから、第１持続時間Δｔ１又は第１閾値を示す情報を受信する。
【０１６０】
本願のこの実施形態では、ネットワーク・デバイスは、端末が現在キャンプしているセルに応対する基地局であってもよく、端末は接続モードにあり、即ち、端末は、現在キャンプしているセルに応対する基地局と通信接続を確立している。この場合、基地局は、第１持続時間又は第１閾値を指定する情報を送信することができる。端末は、基地局により送信される情報であって第１持続時間又は第１閾値を示すものを受信することができる。更に、このステップはオプションのステップであり、第１持続時間Δｔ１及び／又は第１閾値は、端末において事前に設定されてもよい。
【０１６１】
ステップ５０２：端末は、セル状態変数の変動が第１閾値以上であるか否かを判定する。
【０１６２】
このステップの具体的な実装については、ステップ３０２を参照されたい。詳細は本願のこの実施形態においてここで再度説明されない。
【０１６３】
ステップ５０３：端末は、ΔＳΔｔ１が第１閾値以上である場合に、現在キャンプ中のセルの１つ以上の隣接セル内の１つ以上の第１セルの信号品質ＲＳＲＱ又は信号電力ＲＳＲＰを測定する。
【０１６４】
第１セルは、隣接セル内のセルであって、現在キャンプ中のセルのものと同一の又は異なる周波数を有するセルである可能性があることに留意すべきである。
【０１６５】
オプションとして、セル状態が比較的激しく変化し、端末を、比較的広いカバレッジ・エリアを有するセルに可能な限りハンドオーバさせるために、第１セルは、代替的に、隣接セル内のセルであって、現在キャンプ中のセルのカバレッジ・エリアよりもカバレッジ・エリアが広いセルである可能性がある。
【０１６６】
このステップの具体的な実装については、ステップ３０３を参照されたい。詳細は本願のこの実施形態においてここでは説明されない。
【０１６７】
ステップ５０４：端末は、メジャーメント・レポートを基地局に送信し、メジャーメント・レポートは、１つ以上の第１セル各々の信号品質又は信号電力を含む。
【０１６８】
端末がステップ５０３において１つ以上の第１セルの信号品質又は信号電力を測定した後、端末は、メジャーメント・レポートを基地局に送信してもよい。メジャーメント・レポートは、１つ以上の第１セル各々の信号品質又は信号電力を含んでもよい。
【０１６９】
第１セルが、隣接セルにおけるセルであって、現在キャンプ中のセルのカバレッジ・エリアよりもカバレッジ・エリアが広いセルである場合、第１セルのカバレッジ・エリアは現在キャンプ中のセルの信号カバレッジ・エリアよりも広いので、端末は、第１セルの信号品質又は信号電力を基地局に直接的に報告する。このように、基地局は、第１セルの信号品質に基づいて、カバレッジ・エリアがより大きい第１セルに端末を直接的にハンドオーバすることが可能である。これは、移動プロセスにおいて端末が常に比較的小さいカバレッジ・エリアのセルにハンドオーバされることに起因して引き起こされる、頻繁な測定、報告、及びハンドオーバを回避し、端末の電力消費を削減し、端末と基地局との間のシグナリング・オーバーヘッドを削減する。
【０１７０】
オプションとして、端末が１つ以上の第１セルの信号品質又は信号電力を測定した後に、端末は、第１セル全ての信号品質又は信号電力を報告しなくてもよく、しかしながら１つ以上の第１セルのうちの幾つかの測定された信号品質又は信号電力を選択的に報告する可能性がある。
【０１７１】
端末は、１つ以上の第１セルにおいて、比較的高い信号品質又は信号電力を有する第１セルを、報告のために選択することができる。具体的には、端末は、１つ以上の第１セルの信号品質又は信号電力から、第３閾値よりも大きい信号品質又は信号電力を、報告のために選択することができる。このように、第１セルのカバレッジ・エリアが現在キャンプ中のセルのカバレッジ・エリアよりも大きい場合、基地局は、カバレッジ・エリアがより大きい第１セルであって、信号品質又は信号電力がより高いものに、端末を直接的にハンドオーバすることができる。
【０１７２】
ステップ５０５：端末により送信されたメジャーメント・レポートを受信すると、基地局は、１つ以上の第１セル各々の信号品質又は信号電力であってメジャーメント・レポートに含まれるものに基づいて、第２セルを決定し、第１メッセージを端末に送信し、ここで、第１メッセージは、端末を第２セルにハンドオーバすることを指示するために使用され、第２セルは１つ以上の第１セルのうちの１つである。
【０１７３】
端末により送信されたメジャーメント・レポートを受信すると、基地局は、１つ以上の第１セル各々ついての信号品質又は信号電力であってメジャーメント・レポートに含まれるものに基づいて、第２セルを決定することができる。基地局は、端末によって送信される様々なメジャーメント・レポートに基づいて、様々な方法で第２セルを決定することができる。
【０１７４】
具体的には、ステップ４０４から、可能な場合には、端末によって報告されるメジャーメント・レポートが、１つ以上の第１セル各々の信号品質又は信号電力を含むことを学ぶことができる。この場合、基地局は、１つ以上の第１セルから、信号品質又は信号電力が第３閾値以上である第１セルを第２セルとして選択することができる。信号品質又は信号電力が第３閾値より大きい複数の第１セルが存在する場合、最も高い信号品質又は信号電力を有するセルが第２セルとして選択される。
【０１７５】
可能な場合には  端末により報告されるメジャーメント・レポートは、幾つかの第１セルの信号品質又は信号電力であって、１つ以上の第１セルの信号品質又は信号電力の第３閾値以上であるものを含む。この場合、基地局は、幾つかの第１セルから、最も高い信号品質又は信号電力を有する第１セルを第２セルとして選択することができる。
【０１７６】
第２セルを決定した後、基地局は第１メッセージを端末に送信することが可能であり、第１メッセージは現在キャンプ中のセルから第２セルへ端末をハンドオーバすることを指示するために使用される。
【０１７７】
また、セル・ハンドオーバを行う場合に、基地局は多くの要因を考慮する可能性がある。しばしば基地局は、端末により報告されたメジャーメント・レポートを使用するだけでは、セルのハンドオーバを実行しない可能性がある。従って、このステップはオプションのステップである。
【０１７８】
ステップ５０６：端末は、基地局から第１メッセージを受信し、第１メッセージに基づいて第２セルへハンドオーバされる。
【０１７９】
ステップ５０７：ΔＳΔｔ１が第１閾値未満である場合、端末は、ｔＲＥＦ＋Δｔ１の時点で計時を再開し、セル状態変数の変動を再計算し、ステップ５０２を再度実行する。
【０１８０】
このステップの具体的な実装については、ステップ３０５の具体的な実装を参照されたい。詳細は本願のこの実施形態においてここで再度説明されない。
【０１８１】
本願のこの実施形態では、端末は、Δｔ１においてセル状態変数の変動ΔＳΔｔ１が第１閾値以上であるか否かを判定することができる。ΔＳΔｔ１が第１閾値以上である場合、端末は、現在キャンプ中のセルの隣接セル内の１つ以上の第１セルの信号品質又は信号電力を直接的に測定することができる。次いで、端末は、１つ以上の第１セルの信号品質又は信号電力に基づいて、メジャーメント・レポートを基地局に送信することが可能であり、その結果、基地局は、メジャーメント・レポートに基づいて、第２セルへハンドオーバすることを端末に指示するために使用される第１メッセージを送信し、ここで、第２セルは１つ以上の第１セルのうちの１つである。即ち、接続モードの端末が現在キャンプしているセルの信号が比較的激しく変化した場合、又は端末が比較的頻繁にセルをハンドオーバする場合に、端末は隣接セルの信号品質又は信号電力を測定し、信号品質又は信号電力を基地局に報告する。端末が隣接セルの信号品質又は信号電力を測定し、セルの信号が比較的大きく変化した場合に、信号品質又は信号電力を基地局に報告する従来技術と比較すると、本願では、測定の回数、及び端末が信号品質又は信号電力を基地局に報告する回数は削減され、シグナリング・オーバーヘッドは削減される。更に、本願では、端末は、比較的広いカバレッジ・エリアを有する第１セルの信号品質を直接的に測定し、その信号品質を基地局に報告することができる。このように、基地局は、報告された信号品質又は信号電力に基づいて、比較的広いカバレッジ・エリアを有するセルに端末を直接的にハンドオーバすることができる。従って、端末が移動する場合に、比較的短い移動距離に起因して、信号品質は激しくは変化しない。更に、セル測定又はハンドオーバは頻繁には実行されない。このように、端末により実行されるセル測定及びハンドオーバの回数は削減され、端末の電力消費は削減される。更に、端末による信号品質を報告する回数は削減され、それによってシグナリング・オーバーヘッドを削減する。
【０１８２】
以下、接続モードにある端末に使用される第２測定方法を説明する。図６に示すように、方法は以下のステップを含む。
【０１８３】
ステップ６０１：端末は第１閾値又は第２閾値を指定する情報をネットワーク・デバイスから受信する。
【０１８４】
本願のこの実施形態では、ネットワーク・デバイスは、端末が現在キャンプ中のセルに応対する基地局であってもよく、端末は接続モードにあり、即ち、端末は、現在キャンプ中のセルに応対する基地局と通信接続を確立している。この場合、基地局は、第１閾値又は第２閾値を指定する情報を端末に送信することができる。相応して、端末は、基地局によって送信される情報であって、第１閾値又は第２閾値を示す情報を受信することができる。更に、このステップはオプションのステップであり、第１閾値及び／又は第２閾値は、端末において予め設定されてもよい。
【０１８５】
ステップ６０２：セル状態変数の変動ΔＳが第１の閾値以上である場合、ΔＳに到達するための持続時間ΔｔΔＳは第２閾値以下であるか否かを判定する。
【０１８６】
このステップの具体的な実装については、ステップ４０２を参照されたい。詳細は本願のこの実施形態においてここで再度説明されない。
【０１８７】
ステップ６０３：ΔｔΔＳが第２閾値以下である場合、現在キャンプ中のセルの１つ以上の隣接セル内の１つ以上の第１セルの信号品質ＲＳＲＱ又は信号電力ＲＳＲＰを測定する。
【０１８８】
第１セルは、隣接セル内のセルであって、現在キャンプ中のセルと同一の又は異なる周波数を有するセルであってもよいことに留意すべきである。
【０１８９】
オプションとして、セル状態が比較的激しく変化する場合に、相対的に広いカバレッジ・エリアを有するセルにできるだけ端末をハンドオーバするために、代替的に、第１セルは、隣接セル内のセルであって、現在キャンプ中のセルのカバレッジ・エリアよりもカバレッジ・エリアが広いものであってもよい。
【０１９０】
このステップの具体的な実装については、ステップ４０３を参照されたい。詳細は本願のこの実施形態においてここで再度説明されない。
【０１９１】
ステップ６０４：端末は、メジャーメント・レポートを基地局に送信し、ここで、メジャーメント・レポートは、１つ以上の第１セル各々の信号品質ＲＳＲＱ又は信号電力ＲＳＲＰを含む。
【０１９２】
このステップについては、前述の実施形態のステップ５０４の具体的な実装を参照されたい。詳細は、本願のこの実施形態においてここで再度説明されない。
【０１９３】
ステップ６０５：端末により送信されたメジャーメント・レポートを受信すると、基地局は、１つ以上の第１セル各々の信号品質又は信号電力であってメジャーメント・レポートに含まれるものに基づいて、第２セルを決定し、第１メッセージを端末に送信し、ここで、第１メッセージは、第２セルにハンドオーバすることを端末に指示するために使用され、第２セルは１つ以上の第１セルのうちの１つである。
【０１９４】
このステップの具体的な実装プロセスについては、前述の実施形態のステップ５０５の関連する実装を参照されたい。詳細は本願のこの実施態様においてここで再度説明されない。
【０１９５】
更に、セル・ハンドオーバを実行する場合に、基地局は多くの要因を考慮することができる。しばしば基地局は、端末により報告されたメジャーメント・レポートを使用するだけでは、セルのハンドオーバを実行しない可能性がある。従って、このステップはオプションのステップである。
【０１９６】
ステップ６０６：端末は第１メッセージを基地局から受信し、第１メッセージに基づいて第２セルにハンドオーバされる。
【０１９７】
本願のこの実施形態では、端末は、セル状態変数の変動ΔＳが第１閾値以上であるか否かを判定することができる。ΔＳが第１閾値以上である場合、端末は、ΔＳに到達するための持続時間が第２閾値以下であるか否かを更に判定することができる。持続時間が第２閾値以下である場合、それは、セルの状態は比較的短時間で大きく変化することを示す。この場合、端末は隣接セルで測定を開始することが可能である。次いで、端末は、１つ以上の第１セルの測定された信号品質又は信号電力に基づいて、メジャーメント・レポートを基地局に送信することが可能であり、その結果、基地局は、メジャーメント・レポートに基づいて、第２セルにハンドオーバすることを端末に指示するために使用される第１メッセージを送信し、ここで、第２セルは１つ以上の第１セルのうちの１つである。即ち、接続モードにある端末が現在キャンプしているセルの信号が比較的激しく変化する場合、又は端末が比較的頻繁にセルをハンドオーバする場合に、端末は、隣接セルの信号品質又は信号電力を測定し、信号品質又は信号電力を基地局に報告する。セルの信号が比較的大きく変化した場合に、端末が、隣接セルの信号品質又は信号電力を測定し、信号品質又は信号電力を基地局に報告する従来技術と比較すると、本願では、測定の回数、及び端末が信号品質又は信号電力を基地局に報告する回数が削減され、シグナリング・オーバーヘッドが削減される。更に、本願では、端末は、比較的広いカバレッジ・エリアを有する第１セルの信号品質を直接的に測定し、その信号品質を基地局に報告することができる。このように、基地局は、報告された信号品質に基づいて、比較的広いカバレッジ・エリアを有するセルに端末を直接的にハンドオーバすることができる。従って、端末が移動する場合に、比較的短い移動距離に起因して、信号品質は激しくは変化しない。更に、セル測定又はハンドオーバは頻繁には行われない。このように、端末により実行されるセル測定及びハンドオーバの回数は削減され、端末の電力消費は削減される。加えて、端末による信号品質を報告する回数が削減され、それによりシグナリング・オーバーヘッドを削減する。
【０１９８】
前述の実施形態では、様々な状態の端末各々が隣接セルを測定し、セルを再選択する幾つかの実装が説明されている。次に、端末による隣接セルの測定を開始する幾つかの実装、即ち、端末による測定を開始するための幾つかの条件又は機会が、以下の実施形態において詳細に説明される。
【０１９９】
第１実装：｛Ｓｉ｜ｉは正の整数，ｉ≦Ｎ｝を取得するために、Δｔにおいて現在キャンプ中のセルが測定され、ここで、ＮはΔｔにおいて現在キャンプ中のセルを測定する合計回数であり、Ｓｉはｉ番目の測定により取得されるセル状態変数である。｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦを更新し、ここで、ＳＲＥＦは現在キャンプ中のセルのセル状態リファレンス変数である。ＳＲＥＦ−Ｓｉが第１閾値以上である場合に、現在キャンプ中のセルの隣接セルが測定される。
【０２００】
この実装において、端末は、端末が現在キャンプ中のセルにキャンプした時点において現在キャンプ中のセルを測定することを開始し、測定されたセル状態変数をＳＲＥＦとして決定することができる。端末は、｛Ｓｉ｜ｉは正の整数，ｉ≦Ｎ｝を取得するために、時間期間Δｔにおいて現在キャンプ中のセルを連続的に測定する。端末は、Ｓｉが測定によって得られる度にＳＲＥＦ−Ｓｉを計算し、ＳＲＥＦ−Ｓｉが第１閾値以上であるか否かを判定することができる。あるいは、端末は、ＳＲＥＦ−Ｓｉを計算し、ＳＲＥＦ−Ｓｉが第１閾値以下であるか否かを判定することができる。換言すれば、本願においては、表現Ａ−Ｂは、Ｂ−Ａで置換されてもよい。Δｔにおいて測定により得られた全てのＳｉが前述の条件を充足する場合、それは、現在キャンプ中のセルの信号がΔｔにおいて劣化したことを示す。この場合、端末は、Δｔが終了した時にＳＲＥＦを更新することが可能であり、その結果、ＳＲＥＦは、Δｔにおける最後の測定により得られる値ＳＮに等しくなる。更に、端末は隣接セルで測定を開始し、その結果、端末は、より良い信号品質のセルを再選択するか又はそこにハンドオーバされることが可能である。
【０２０１】
オプションとして可能な場合には、代替的に、ＳＲＥＦは、現在キャンプ中のセルの信号品質又は信号電力であって、別の時点で端末によって測定されるものであってもよい。代替的に、端末が現在キャンプ中のセルにキャンプする時点の前に実行された最新の（又は最後の）測定により得られる、現在キャンプ中のセルのセル状態変数が、ＳＲＥＦとして決定される。これは本願の実施態様において特に限定されない。
【０２０２】
オプションとして、端末が測定によってＳＮを取得する時点は現時点（Ｃｕｒｒｅｎｔ）であってもよく、ＳＮは現在のセル状態変数又は最新の測定によって取得されるセル状態変数である。
【０２０３】
現在キャンプ中のセルは、サービング・セル（Ｓｅｒｖｉｎｇ  Ｃｅｌｌ）と言及されてもよく、セル状態リファレンス変数は、リファレンス（Ｒｅｆｅｒｅｎｃｅ）に使用されるセル状態変数又はセル状態変数のリファレンス値である。現在キャンプ中のセルの隣接セルを測定することは、インター周波数及び／又はイントラ周波数測定を更に含む。
【０２０４】
ＳＲＥＦ、ＳＮ及び現在キャンプ中のセルに関する前述の説明は、本願の実施態様の他の実装におけるＳＲＥＦ、ＳＮ及び現在キャンプ中のセルにも適用可能であることに留意すべきである。
【０２０５】
この実装では、Δｔにおいてセル状態変数が常にセル状態リファレンス変数未満であると判定した場合、端末は、隣接セルの測定を開始し、セル状態変数をＳＲＥＦから、Δｔにおける最後の測定で得られたセル状態変数ＳＮに更新することができる。このように、端末が、隣接セルを測定した後に他のセルに再選択することに失敗した場合に、端末は、更新後に得られたＳＲＥＦに基づいて、Δｔにおいて現在キャンプ中のセルのセル状態変数が条件を充足するか否かを再度判定し、隣接セルについて再度測定を開始するか否かを判定することができる。端末が隣接セルを連続的に測定する場合と比較すると、本願は端末による隣接セルを測定する回数を削減し、端末の電力消費を削減する。
【０２０６】
第２実装：現在のセル状態変数Ｓｃｕｒｒｅｎｔは、現在キャンプ中のセルを測定することによって得られる。Ｓｃｕｒｒｅｎｔ−ＳＲＥＦが第２閾値以上である場合、ＳＲＥＦがＳｃｕｒｒｅｎｔに等しくなるように、ＳＲＥＦは更新され、ＳＲＥＦは現在キャンプ中のセルのセル状態リファレンス変数である。現在キャンプ中のセルの隣接セルは、ＳＲＥＦ−Ｓｃｕｒｒｅｎｔが第１閾値以上である場合に測定される。
【０２０７】
この実装では、セル状態変数を測定した後、毎回、端末は測定されたセル状態変数Ｓｃｕｒｒｅｎｔを、現在キャンプ中のセルのセル状態リファレンス変数ＳＲＥＦと比較することができる。Ｓｃｕｒｒｅｎｔ−ＳＲＥＦが第２閾値以上である場合、それは、セル状態変数の増加分が現在に至るまでに第２閾値に到達したことを示す。換言すれば、現在キャンプ中のセルの信号電力又は信号品質は劣化していない。この場合、端末は隣接セルを測定する必要はないかもしれないが、セル状態変数をＳＲＥＦからＳｃｕｒｒｅｎｔに更新し、更に現在キャンプ中のセルのセル状態変数を測定し続け、セル状態変数を更新されたＳＲＥＦと比較する。このように、現在キャンプ中のセルの信号品質又は信号電力が劣化すると、隣接セルの測定が、ちょうど良い時に開始される
【０２０８】
オプションとして、ＳＲＥＦ−Ｓｃｕｒｒｅｎｔが第１閾値以上である場合、それは、現在キャンプ中のセルのセル状態変数の減少分が現在の瞬間までに第１閾値に到達したことを示す。言い換えれば、現在キャンプ中のセルの信号は、比較的大きく劣化している。この場合、端末は、現在キャンプ中のセルの隣接セル上で測定を開始し、その結果、端末は、測定結果に基づいてセルを再選択する又はハンドオーバされることが可能である。
【０２０９】
現在のセル状態変数Ｓｃｕｒｒｅｎｔは、現時点（Ｃｕｒｒｅｎｔ）におけるセル状態変数、セル状態変数の現在の値、セル状態変数の最新の値、又はセル状態変数の最新の測定値である。
【０２１０】
この実装では、端末は、測定されたセル状態変数とセル状態リファレンス変数とをリアルタイムで比較し、セル状態変数の変動が閾値に到達した場合に、隣接セルの測定を、ちょうど良い時に開始することができる。このように、端末は、セルの信号が劣化した場合に、より時宜を得た方法でセル再選択又はハンドオーバを行うことができる。
【０２１１】
第３実装：｛Ｓｉ｜ｉは正の整数，ｉ≦Ｎ｝を取得するために、Δｔにおいて現在キャンプ中のセルが測定され、ここで、ＮはΔｔにおいて現在キャンプ中のセルを測定する合計回数であり、Ｓｉはｉ番目の測定により取得されるセル状態変数である。ＳＲＥＦは、ＳＲＥＦが｛Ｓｉ｜ｉは正の整数，ｉ≦Ｎ｝における最大値、又は｛Ｓｉ｜ｉは正の整数，ｉ≦Ｎ｝の平均値に等しくなるように更新される。現在キャンプ中のセルの隣接セルは、ＳＲＥＦ−Ｓｉが第１閾値以上である場合に測定される。
【０２１２】
この実装では、端末は、端末が現在キャンプ中のセルにキャンプした場合に、現在キャンプ中のセルのセル状態変数ＳＲＥＦを測定することができる。端末は、｛Ｓｉ｜ｉは正の整数，ｉ≦Ｎ｝を取得するために、時間期間Δｔにおいて現在キャンプ中のセルを連続的に測定する。端末はＮ個のＳｉを記憶する。端末が測定により新しいＳｉ（ＳＮ＋１と記される）を取得する度に、端末は、端末によって現在記憶されている｛Ｓ１，Ｓ２，Ｓ３，・・・，ＳＮ−１，ＳＮ｝を、｛Ｓ２，Ｓ３，・・・，ＳＮ−１，ＳＮ，ＳＮ＋１｝で置換して、新しい｛Ｓ１，Ｓ２，Ｓ３，・・・，ＳＮ−１，ＳＮ｝を取得し、次いで、セル状態変数をＳＲＥＦから、更新された｛Ｓｉ｜ｉは正の整数，ｉ≦Ｎ｝における最大値に、又は更新された｛Ｓｉ｜ｉは正の整数，ｉ≦Ｎ｝の平均値に更新することができる。更に、端末はＳＲＥＦ−Ｓｉを更に計算することができる。｛Ｓｉ｜ｉは正の整数，ｉ≦Ｎ｝における任意のＳｉが、ＳＲＥＦ−Ｓｉは第１閾値以上であることを充足する場合、現在キャンプ中のセルの信号品質は連続的に劣化している。この場合、端末は、現在キャンプ中のセルの隣接セルで測定を開始することが可能であり、その結果、端末はキャンプするのにより良いセルを再選択することができる。
【０２１３】
本願の実施形態では、前述の何れか任意の方法で隣接セルの測定を開始した後に、端末は、前述の実施形態で説明した隣接セルを測定する関連方法を参照して隣接セルの信号品質又は信号電力を測定し、前述の実施形態で説明したセル再選択又はハンドオーバの方法で測定した隣接セルの信号品質又は信号電力に基づいて、セル再選択又はハンドオーバを実行することができることに留意すべきである。詳細は本願の実施態様においてここで再度説明されない。
【０２１４】
図７は、本願の実施形態によるセル再選択装置のブロック図である。装置は端末に適用される。図７に示すように、装置７００は、第１測定モジュール７０１と、更新モジュール７０２と、第２測定モジュール７０３とを含む。
【０２１５】
第１測定モジュール７０１は、｛Ｓｉ｜ｉは正の整数，ｉ≦Ｎ｝を取得するために、Δｔにおいて現在キャンプ中のセルを測定するように構成され、ＮはΔｔにおいて現在キャンプ中のセルを測定する合計回数であり、Ｓｉはｉ番目の測定により取得されるセル状態変数である。
【０２１６】
更新モジュール７０２は、｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦを更新するように構成される。ＳＲＥＦは現在キャンプ中のセルのセル状態リファレンス変数である。
【０２１７】
第２測定モジュール７０３は、ＳＲＥＦ−Ｓｉが第１閾値以上である場合に、現在キャンプ中のセルの１つ以上の隣接セルを測定するように構成される。
【０２１８】
オプションとして、装置は更に：
ネットワーク・デバイスから、Δｔを指定するために使用される情報、又は第１閾値を指定するために使用される情報を受信するように構成される受信モジュールを含む。
【０２１９】
オプションとして、装置は更に：
現在キャンプ中のセルが再選択又は選択され後にＳＲＥＦを取得するように構成される取得モジュールを含む。
【０２２０】
オプションとして、セル状態変数は、信号電力ＲＳＲＰ又は信号品質ＲＳＲＱを含む。
【０２２１】
オプションとして、隣接セル内の１つ以上のセル各々のカバレッジ・エリアは、現在キャンプ中のセルのカバレッジ・エリアより大きい。
【０２２２】
オプションとして、装置は更に：
隣接セルの第１セルがセル再選択条件を充足する場合に、第１セルを再選択するように構成される再選択モジュールを含む。
【０２２３】
オプションとして、装置は更に：
メジャーメント・レポートをネットワーク・デバイスに送信するように構成される送信モジュールを含み、メジャーメント・レポートは、１つ以上のセル各々の信号品質ＲＳＲＱ又は信号電力ＲＳＲＰを含む。
【０２２４】
オプションとして、１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きい；又は
１つ以上のセル各々の優先度が、現在キャンプ中のセルの優先度より低い場合に、１つ以上のセル各々のカバレッジ・エリアは現在キャンプ中のセルのカバレッジ・エリアより大きい；又は
１つ以上のセル各々の周波数が、現在キャンプ中のセルの周波数より低い場合に、１つ以上のセル各々のカバレッジ・エリアは現在キャンプ中のセルのカバレッジ・エリアより大きい；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きい。
【０２２５】
図８は、本願の実施形態によるセル再選択装置のブロック図である。装置は端末に適用される。図８に示すように、装置８００は、第１測定モジュール８０１と、更新モジュール８０２と、第２測定モジュール８０３とを含む。
【０２２６】
第１測定モジュール８０１は、現在のセル状態変数Ｓｃｕｒｒｅｎｔを取得するために、現在キャンプ中のセルを測定するように構成される。
【０２２７】
更新モジュール８０２は、Ｓｃｕｒｒｅｎｔ−ＳＲＥＦが第２閾値以上である場合に、ＳＲＥＦがＳｃｕｒｒｅｎｔに等しくなるようにＳＲＥＦを更新するように構成され、ＳＲＥＦは現在キャンプ中のセルのセル状態リファレンス変数である。
【０２２８】
第２測定モジュール８０３は、ＳＲＥＦ−Ｓｃｕｒｒｅｎｔが第１閾値以上である場合に、現在キャンプ中のセルの１つ以上の隣接セルを測定するように構成される。
【０２２９】
オプションとして、装置は更に：
ネットワーク・デバイスから、第１閾値を指定するために使用される情報、又は第２閾値を指定するために使用される情報を受信するように構成される受信モジュールを含む。
【０２３０】
オプションとして、装置は更に：
現在キャンプ中のセルが再選択又は選択され後にＳＲＥＦを取得するように構成される取得モジュールを含む。
【０２３１】
オプションとして、セル状態変数は、信号電力ＲＳＲＰ又は信号品質ＲＳＲＱを含む。
【０２３２】
オプションとして、隣接セル内の１つ以上のセル各々のカバレッジ・エリアは、現在キャンプ中のセルのカバレッジ・エリアより大きい。
【０２３３】
オプションとして、装置は更に：
隣接セルの第１セルがセル再選択条件を充足する場合に、第１セルを再選択するように構成される再選択モジュールを含む。
【０２３４】
オプションとして、装置は更に：
メジャーメント・レポートをネットワーク・デバイスに送信するように構成される送信モジュールを含み、メジャーメント・レポートは、１つ以上のセル各々の信号品質ＲＳＲＱ又は信号電力ＲＳＲＰを含む。
【０２３５】
オプションとして、１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きい；又は
１つ以上のセル各々の優先度が、現在キャンプ中のセルの優先度より低い場合に、１つ以上のセル各々のカバレッジ・エリアは現在キャンプ中のセルのカバレッジ・エリアより大きい；又は
１つ以上のセル各々の周波数が、現在キャンプ中のセルの周波数より低い場合に、１つ以上のセル各々のカバレッジ・エリアは現在キャンプ中のセルのカバレッジ・エリアより大きい；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きい。
【０２３６】
図９は、本願の実施形態によるセル再選択装置のブロック図である。装置は端末に適用される。図９に示すように、装置９００は、第１測定モジュール９０１と、更新モジュール９０２と、第２測定モジュール９０３とを含む。
【０２３７】
第１測定モジュール９０１は、｛Ｓｉ｜ｉは正の整数，ｉ≦Ｎ｝を取得するために、Δｔにおいて現在キャンプ中のセルを測定するように構成され、ＮはΔｔにおいて現在キャンプ中のセルを測定する合計回数であり、Ｓｉはｉ番目の測定により取得されるセル状態変数である。
【０２３８】
更新モジュール９０２は、ＳＲＥＦが、｛Ｓｉ｜ｉは正の整数，ｉ≦Ｎ｝における最大値に等しくなるか、又は｛Ｓｉ｜ｉは正の整数，ｉ≦Ｎ｝における平均値に等しくなるように、ＳＲＥＦを更新するように構成され、ＳＲＥＦは現在キャンプ中のセルのセル状態リファレンス変数である。
【０２３９】
第２測定モジュール９０３は、ＳＲＥＦ−Ｓｉが第１閾値以上である場合に、現在キャンプ中のセルの１つ以上の隣接セルを測定するように構成される。
【０２４０】
オプションとして、装置は更に：
ネットワーク・デバイスから、Δｔを指定するために使用される情報、又は第１閾値を指定するために使用される情報を受信するように構成される受信モジュールを含む。
【０２４１】
オプションとして、装置は更に：
現在キャンプ中のセルが再選択又は選択され後にＳＲＥＦを取得するように構成される取得モジュールを含む。
【０２４２】
オプションとして、セル状態変数は、信号電力ＲＳＲＰ又は信号品質ＲＳＲＱを含む。
【０２４３】
オプションとして、隣接セル内の１つ以上のセル各々のカバレッジ・エリアは、現在キャンプ中のセルのカバレッジ・エリアより大きい。
【０２４４】
オプションとして、装置は更に：
隣接セルの第１セルがセル再選択条件を充足する場合に、第１セルを再選択するように構成される再選択モジュールを含む。
【０２４５】
オプションとして、装置は更に：
メジャーメント・レポートをネットワーク・デバイスに送信するように構成される送信モジュールを含み、メジャーメント・レポートは、１つ以上のセル各々の信号品質ＲＳＲＱ又は信号電力ＲＳＲＰを含む。
【０２４６】
オプションとして、１つ以上のセル各々の周波数の優先度が、現在キャンプ中のセルの周波数の優先度より低い場合に、１つ以上のセル各々のカバレッジ・エリアは現在キャンプ中のセルのカバレッジ・エリアより大きい；又は
１つ以上のセル各々の優先度が、現在キャンプ中のセルの優先度より低い場合に、１つ以上のセル各々のカバレッジ・エリアは現在キャンプ中のセルのカバレッジ・エリアより大きい；又は
１つ以上のセル各々の周波数が、現在キャンプ中のセルの周波数より低い場合に、１つ以上のセル各々のカバレッジ・エリアは現在キャンプ中のセルのカバレッジ・エリアより大きい；又は
１つ以上のセル各々のセル・タイプがマクロ・セルであり、現在キャンプ中のセルのセル・タイプがマイクロ・セルである場合に、１つ以上のセル各々のカバレッジ・エリアは現在キャンプ中のセルのカバレッジ・エリアより大きい。
【０２４７】
前述の実施形態における方法を実現するために、本願の実施形態は、対応する通信装置を更に提供する。
【０２４８】
オプションの設計において、通信装置の構造については、図２及び関連する説明を参照されたい。
【０２４９】
別のオプションの設計において、通信装置はプロセッサを含んでもよく、又はメモリを更に含んでもよい。プロセッサは、前述の実施形態の方法を実現するために、メモリに結合し、メモリ内の命令を読み込んで実行するように構成される。
【０２５０】
前述の実施形態で提供される測定装置がセル測定を行う場合に、前述の機能モジュールへの分割は説明のための具体例として単に使用されるに過ぎない。実際のアプリケーションでは、前述の機能は、条件に基づいて、異なる機能モジュールに割り当てられ、実装されてもよい。即ち、上述の機能の全部又は一部を実現するために、デバイスの内部構造は異なる機能モジュールに分割される。また、上述の実施形態で提供される測定装置は、上述の実施形態の測定方法と同一の発明概念に基づいている。具体的な実装プロセスについては、方法の実施形態を参照されたい。詳細はここで再度説明されない。
【０２５１】
前述の実施形態の全部又は一部は、ソフトウェア、ハードウェア、ファームウェア、又はそれらの任意の組み合わせによって実装されることが可能である。実施形態を実装するためにソフトウェアが使用される場合、実施形態の全部又は一部は、コンピュータ・プログラム・プロダクトの形態で実装されてもよい。コンピュータ・プログラム・プロダクトは、１つ以上のコンピュータ命令を含む。コンピュータ命令がコンピュータにロードされて実行される場合、本願の実施形態による手順又は機能は、全部又は部分的に生じる。コンピュータは、汎用コンピュータ、専用コンピュータ、コンピュータ・ネットワーク、又は他のプログラム可能な装置であってもよい。コンピュータ命令は、コンピュータ読み取り可能な記憶媒体に記憶されてもよいし、あるいはコンピュータ読み取り可能な記憶媒体から別のコンピュータ読み取り可能な記憶媒体に伝送されてもよい。例えば、コンピュータ命令は、ウェブサイト、コンピュータ、サーバー、又はデータ・センターから、別のウェブサイト、コンピュータ、サーバー、又はデータ・センターへ、有線（例えば、同軸ケーブル、光ファイバ、又はデジタル加入者回線（Ｄｉｇｉｔａｌ  Ｓｕｂｓｃｒｉｂｅｒ  Ｌｉｎｅ、ＤＳＬ））又は無線（例えば、赤外線、無線、又はマイクロ波）方式で伝送されてもよい。コンピュータ読み取り可能な記憶媒体は、コンピュータによってアクセス可能な任意の利用可能な媒体、又は１つ以上の利用可能な媒体を統合するサーバー又はデータ・センターなどのデータ記憶装置であってもよい。利用可能な媒体は、磁気媒体（例えば、フロッピー・ディスク、ハード・ディスク、又は磁気テープ）、光媒体（例えば、デジタル汎用ディスク（Ｄｉｇｉｔａｌ  Ｖｅｒｓａｔｉｌｅ  Ｄｉｓｃ，  ＤＶＤ））、半導体媒体（例えば、ソリッド・ステート・ドライブ（Ｓｏｌｉｄ  Ｓｔａｔｅ  Ｄｉｓｋ，ＳＳＤ））などである。
【０２５２】
即ち、本願の実施態様においては、コンピュータ読み取り可能な記憶媒体が提供される。コンピュータ読み取り可能な記憶媒体がコンピュータで動作すると、コンピュータは、前述の実施形態で提供される測定方法のステップを実行することが可能になる。
【０２５３】
当業者は、実施形態のステップの全部又は一部は、ハードウェア又は関連するハードウェアを指示するプログラムによって実装されてもよいことを理解することが可能である。プログラムは、コンピュータ読み取り可能な記憶媒体に記憶されることが可能である。記憶媒体は、読み込み専用メモリ、磁気ディスク、光ディスクなどであってもよい。
【０２５４】
前述の説明は本願の実施形態であるが、本願を限定するようには意図されていない。本願の精神及び原理から逸脱することなく行われる何れの修正、同等な置換、改良も、本願の保護範囲内に該当するはずである。
【図１Ａ】
2021513289.tif 000003
【図１Ｂ】
2021513289.tif 000004
【図２】
2021513289.tif 000005
【図３】
2021513289.tif 000006
【図４】
2021513289.tif 000007
【図５】
2021513289.tif 000008
【図６】
2021513289.tif 000009
【図７】
2021513289.tif 000010
【図８】
2021513289.tif 000011
【図９】
2021513289.tif 000012
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
測定方法であって、前記方法は：
｛Ｓｉ｜ｉは正の整数，ｉ≦Ｎ｝を取得するために、Δｔにおいて現在キャンプ中のセルを測定するステップであって、ＮはΔｔにおいて前記現在キャンプ中のセルを測定する合計回数であり、Ｓｉはｉ番目の測定により取得されるセル状態変数である、ステップ；
｛Ｓｉ｜ｉは正の整数，ｉ≦Ｎ｝における任意のＳｉが、ＳＲＥＦ−Ｓｉは第１閾値以上であることを充足する場合に、ＳＲＥＦがＳＮに等しくなるようにＳＲＥＦを更新するステップであって、ＳＲＥＦは前記現在キャンプ中のセルのセル状態リファレンス変数である、ステップ；及び
ＳＲＥＦ−Ｓｉが前記第１閾値以上である場合に、前記現在キャンプ中のセルの１つ以上の隣接セルを測定するステップ；
を含む方法。
【請求項２】
Δｔを指定するために使用される情報、前記第１閾値を指定するために使用される情報、又は前記第２閾値を指定するために使用される情報を、ネットワーク・デバイスから受信するステップを更に含む請求項１に記載の方法。
【請求項３】
前記現在キャンプ中のセルを再選択又は選択した後にＳＲＥＦを取得するステップ；
を更に含む請求項１又は２に記載の方法。
【請求項４】
前記セル状態変数は、信号電力ＲＳＲＰ又は信号品質ＲＳＲＱを含む、請求項１〜３のうちの何れか１項に記載の方法。
【請求項５】
前記隣接セルにおける１つ以上のセル各々のカバレッジ・エリアは、前記現在キャンプ中のセルのカバレッジ・エリアより大きい、請求項１〜４のうちの何れか１項に記載の方法。
【請求項６】
前記隣接セルにおける第１セルがセル再選択条件を充足する場合に、前記第１セルを再選択するステップ；
を更に含む請求項５に記載の方法。
【請求項７】
メジャーメント・レポートを前記ネットワーク・デバイスへ送信するステップであって、前記メジャーメント・レポートは、前記１つ以上のセル各々の信号品質ＲＳＲＱ又は信号電力ＲＳＲＰを含む、ステップを更に含む、請求項５又は６に記載の方法。
【請求項８】
前記１つ以上のセル各々の周波数の優先度が、前記現在キャンプ中のセルの周波数の優先度より低い場合に、前記１つ以上のセル各々の前記カバレッジ・エリアは前記現在キャンプ中のセルの前記カバレッジ・エリアより大きい；又は
前記１つ以上のセル各々の優先度が、前記現在キャンプ中のセルの優先度より低い場合に、前記１つ以上のセル各々の前記カバレッジ・エリアは前記現在キャンプ中のセルの前記カバレッジ・エリアより大きい；又は
前記１つ以上のセル各々の周波数が、前記現在キャンプ中のセルの周波数より低い場合に、前記１つ以上のセル各々の前記カバレッジ・エリアは前記現在キャンプ中のセルの前記カバレッジ・エリアより大きい；又は
前記１つ以上のセル各々のセル・タイプがマクロ・セルであり、前記現在キャンプ中のセルのセル・タイプがマイクロ・セルである場合に、前記１つ以上のセル各々の前記カバレッジ・エリアは前記現在キャンプ中のセルの前記カバレッジ・エリアより大きい；
請求項５〜７のちの何れか１項に記載の方法。
【請求項９】
プロセッサ；及び
前記プロセッサによる実行のためのプログラミングを記憶するコンピュータ読み取り可能な記憶媒体であって、前記プログラミングは請求項１〜８のうちの何れか１項に記載の方法のステップを実行させる命令を含む、記憶媒体；
を含む通信装置。
【請求項１０】
プロセッサによる実行のためのプログラミングを記憶するコンピュータ読み取り可能な記憶媒体であって、前記プログラミングは請求項１〜８のうちの何れか１項に記載の方法のステップを実行させる命令を含む、記憶媒体。
【国際調査報告】
2021513289.tif 000013
2021513289.tif 000014
2021513289.tif 000015
2021513289.tif 000016